(57)【要約】【課題】複数種類の形状の異なる滞水材を組み合わせて構成される雨水貯溜槽において、強度を保ちつつ、貯水部分となる空隙部分が最大となるような構成とすることが可能な雨水貯溜槽の設計支援を行う雨水貯溜槽設計支援装置、及び、設計支援方法を提供する。【解決手段】複数種類の滞水材を組み合わせて雨水貯留容積率及び耐水平荷重の異なる滞水セットが構成され、該滞水セットを上下方向に連設して滞水ユニットが構成されると共に、該滞水ユニットが連設されて構成される滞水槽を備える雨水貯溜槽が設計支援対象である雨水貯溜槽設計支援装置を、滞水セット情報保持手段１、設置条件情報保持手段２、水平荷重計算手段３、及び、基本滞水セット選択採用手段４で構成する。又、滞水セット情報及び設置条件情報を備えたコンピュータにより実行される雨水貯溜槽設計支援方法を、水平荷重計算ステップ、及び、基本滞水セット選択採用ステップにより構成する。【選択図】図１
2007182708.tif 000002
【特許請求の範囲】
【請求項１】
形状の異なる複数種類の滞水材の中から一種類以上の滞水材を上下方向に組み合わせて連設して滞水容積率及び耐水平荷重の異なる複数種類の滞水セットを構成し、該滞水セットを上下方向に複数組み合わせて連設して滞水ユニットを構成すると共に、該滞水ユニットを水平状に縦横に連設して構成される滞水槽を備えて地下に埋設され設置される地下貯留槽が設計支援対象である地下貯留槽設計支援装置であって、
複数種類の各前記滞水セットである基本滞水セットを、該基本滞水セットが備える滞水容積率及び耐水平荷重と対応させて、該基本滞水セットの情報として保持している滞水セット情報保持手段と、
前記地下貯留槽の設置条件に関する情報を保持している設置条件情報保持手段と、
前記設置条件情報保持手段に保持されている設置条件に基づき、前記滞水セットにかかる前記水平荷重を計算する水平荷重計算手段と、
前記水平荷重計算手段により計算された前記滞水セットの水平荷重の値以上である耐水平荷重を備えた前記基本滞水セットを、前記滞水セット情報保持手段に保持されている基本滞水セットの情報の中から選択すると共に、更に、該選択された前記基本滞水セットの中から、前記滞水容積率の最も大きい前記基本滞水セットを選択して、前記地下貯留槽における滞水槽の前記滞水ユニットを構成する滞水セットとして採用する基本滞水セット選択採用手段と、を備えていることを特徴とする地下貯留槽設計支援装置。
【請求項２】
前記滞水セット情報保持手段が保持する前記基本滞水セットの耐水平荷重は、該基本滞水セットの最下層に位置する滞水材にかかる水平荷重であり、
前記水平荷重計算手段は、前記滞水セットの最下層に位置する滞水材にかかる水平荷重を計算する請求項１記載の地下貯留槽設計支援装置。
【請求項３】
前記滞水セット情報保持手段は、前記基本滞水セットが備える滞水容積率に代えて、該基本滞水セットが備える滞水容積率の大きさの順位を該基本滞水セットと対応させて保持しており、
前記基本滞水セット選択採用手段は、最も大きい滞水容積率を備えた前記基本滞水セットを選択するのに代えて、滞水容積率の大きさの順位の最も高い前記基本滞水セットを選択する請求項１又は２記載の地下貯留槽設計支援装置。
【請求項４】
設計対象の前記地下貯留槽における滞水槽の滞水ユニットには、形状の異なる複数種類の前記滞水材として、前記滞水ユニットの最上面及び最下面に設置されて面を形成する板材、傾斜面を有し該傾斜面を流れる流水に混在する砂や汚泥が該傾斜面により下方に流れる作用を有する傾斜材、及び、前記板材と前記傾斜材間、又は、前記傾斜材間の支柱の役目を果たす脚材の３種類の滞水材が用いられると共に、
前記滞水セット情報保持手段は、前記板材、前記傾斜材、及び、前記脚材を組み合わせて構成されている前記基本滞水セットの情報を保持している請求項１〜３のいずれか１項に記載の地下貯留槽設計支援装置。
【請求項５】
前記滞水セット情報保持手段は、
前記滞水ユニットの最上部以外で且つ最下部以外の部分に単又は複数使用される前記基本滞水セットの情報として、前記傾斜材を２段連設した第１基本滞水セット、２段の前記傾斜材の上に１段の前記脚材を連設した第２基本滞水セット、１段の前記傾斜材の上に１段の前記脚材を連設した第３基本滞水セット、及び、１段の前記傾斜材の上に２段の前記脚材を連設した第４基本滞水セットの各情報を保持し、
前記滞水ユニットの最下部に一つ使用される前記基本滞水セットの情報として、１段の前記板材の上に１段の前記脚材を連設して構成した底部滞水セットの上に更に前記第１基本滞水セットを連設した第５基本滞水セット、前記底部滞水セットの上に更に前記第２基本滞水セットを連設した第６基本滞水セット、前記底部滞水セットの上に更に前記第３基本滞水セットを連設した第７基本滞水セット、及び、前記底部滞水セットの上に更に前記第４基本滞水セットを連設した第８基本滞水セットの各情報を保持し、
前記滞水ユニットの最上部に一つ使用される前記基本滞水セットの情報として、１段の前記傾斜材の上に２段の前記板材を連設した第９基本滞水セットの情報を保持している請求項４記載の地下貯留槽設計支援装置。
【請求項６】
前記基本滞水セット選択採用手段は、前記滞水セット情報保持手段の保持する基本滞水セットの情報から、
前記滞水ユニットの最上部に使用される滞水セットである最上部滞水セットとして、前記第９基本滞水セットを選択し、
前記滞水ユニットの最下部に使用される滞水セットである最下部滞水セットとして、前記水平荷重計算手段の計算結果に基づいて、前記第５基本滞水セット、前記第６基本滞水セット、前記第７基本滞水セット、及び、前記第８基本滞水セットの中からいずれかを選択し、
前記最上部滞水セットと前記最下部滞水セットとで挟まれる前記滞水ユニットの部分である中間部滞水ユニットに使用される滞水セットである中間部滞水セットとして、前記水平荷重計算手段の計算結果に基づいて、前記第１基本滞水セット、前記第２基本滞水セット、前記第３基本滞水セット、及び、前記第４基本滞水セットの中からいずれかを選択して、それぞれ採用すると共に、
前記地下貯留槽設計支援装置は、前記滞水ユニットを構成する滞水ユニット構成手段を備えており、該滞水ユニット構成手段は、前記基本滞水セット選択採用手段により選択されて採用された前記最上部滞水セット、前記最下部滞水セット、及び、前記中間部滞水セットを用いて、前記設置条件情報保持手段に保持されている設置条件に基づき、前記滞水ユニットを構成する請求項５記載の地下貯留槽設計支援装置。
【請求項７】
前記滞水ユニット構成手段は、前記基本滞水セット選択採用手段により、前記中間部滞水ユニットを構成する中間部滞水セットとして選択された全ての基本滞水セットにおける、該基本滞水セットを構成する滞水材の段数の合計が、前記設置条件により定まる前記中間部滞水ユニットを構成する滞水材の段数である中間部段数よりも多い場合は、前記最上部滞水セットの直下に位置する中間部滞水セットである基本滞水セットを構成する最上層の滞水材から、順に多い段数分の滞水材を取り除いて前記滞水ユニットを構成する請求項６記載の地下貯留槽設計支援装置。
【請求項８】
前記滞水セット情報保持手段は、耐鉛直荷重が異なる複数種類の前記第９基本滞水セットを、該第９基本滞水セットの備える耐鉛直荷重と対応させて前記基本滞水セットの情報として保持していると共に、
前記地下貯留槽設計支援装置は、鉛直荷重計算手段を備えており、
該鉛直荷重計算手段は、前記設置条件情報保持手段に保持されている設置条件に基づき、前記最上部滞水セットにかかる鉛直荷重を計算すると共に、
前記基本滞水セット選択採用手段は、前記鉛直荷重計算手段により計算された前記最上部滞水セットの鉛直荷重の値以上である耐鉛直荷重を備えた前記第９基本滞水セットを、前記滞水セット情報保持手段に保持されている基本滞水セットの情報の中から選択して採用する請求項６又は７記載の地下貯留槽設計支援装置。
【請求項９】
設計対象の前記地下貯留槽の滞水槽には、水平状に縦又は横に１列に連設された前記滞水ユニットの列であるＵ字溝滞水ユニット列の下にＵ字溝が設けられ、且つ、
前記Ｕ字溝滞水ユニット列以外の滞水ユニットに用いられる傾斜材は、該傾斜材の傾斜の方向が、前記Ｕ字溝に向かって下がるように設置されると共に、前記Ｕ字溝滞水ユニット列の滞水ユニットであるＵ字溝上滞水ユニットに用いられる傾斜材は、該傾斜材の傾斜の方向が、前記Ｕ字溝滞水ユニット列の方向と同じとなるように設置され、
前記滞水セット情報保持手段は、前記板材に上下方向に開口する開口部を設けて形成された１段の開口板材の上に１段の前記脚材を連設すると共に該脚材の上に更に前記傾斜材を１段連設して構成されたＵ字溝上底部滞水セットの情報を保持しており、
前記地下貯留槽設計支援装置は、前記Ｕ字溝上滞水ユニットを構成するＵ字溝上滞水ユニット構成手段を備えており、
該Ｕ字溝上滞水ユニット構成手段は、
前記滞水ユニット構成手段により構成された前記滞水ユニットにおける最下部滞水セットの下層４段を取り除くと共に、取り除いた結果、残る部分がない場合は、前記滞水セット情報保持手段により保持されている情報である前記Ｕ字溝上底部滞水セットのみで、又、残る部分がある場合は、該残る部分を前記Ｕ字溝上底部滞水セットの上に連設して、Ｕ字溝上最下部滞水セットを構成し、
該Ｕ字溝上最下部滞水セットの上に、前記滞水ユニットから前記最下部滞水セットを除いた部分で構成される一部省略滞水ユニットを連設すると共に、
前記一部省略滞水ユニットにおける最上部滞水セットと該最上部滞水セットの直下に位置する滞水材との間に、該滞水材が前記傾斜材であれば前記脚材、前記脚材であれば前記傾斜材を挿入し連設して、前記Ｕ字溝上滞水ユニットを構成する請求項６〜８のいずれか１項に記載の地下貯留槽設計支援装置。
【請求項１０】
前記水平荷重計算手段は、前記Ｕ字溝上滞水ユニット構成手段により構成された前記Ｕ字溝上滞水ユニットに対して、該Ｕ字溝上滞水ユニットにおける前記一部省略滞水ユニットを構成する各中間部滞水セットに使用されている基本滞水セットにかかる水平荷重を計算すると共に、
前記Ｕ字溝上滞水ユニット構成手段は、前記水平荷重計算手段により計算された、前記Ｕ字溝上滞水ユニットにおける前記一部省略滞水ユニットを構成する各中間部滞水セットに使用されている基本滞水セットにかかる水平荷重の値が、該基本滞水セットの備える耐水平荷重の値よりも小さい場合のみ、該基本滞水セットを構成している下層側の脚材を傾斜材に変更して前記Ｕ字溝上滞水ユニットを構成する請求項９記載の地下貯留槽設計支援装置。
【請求項１１】
形状の異なる複数種類の滞水材の中から一種類以上の滞水材を上下方向に組み合わせて連設して滞水容積率及び耐水平荷重の異なる複数種類の滞水セットを構成し、該滞水セットを上下方向に複数組み合わせて連設して滞水ユニットを構成すると共に、該滞水ユニットを水平状に縦横に連設して構成される滞水槽を備えて地下に埋設され設置される地下貯留槽が設計支援対象であり、コンピュータにより実行される地下貯留槽設計支援方法であって、
前記コンピュータは、複数種類の各前記滞水セットである基本滞水セットを、該基本滞水セットが備える滞水容積率及び耐水平荷重と対応させて、該基本滞水セットの情報として保持していると共に、前記地下貯留槽の設置条件に関する情報を保持しており、
前記コンピュータにより実行されるステップであって、
前記地下貯留槽における滞水槽の滞水ユニットを構成する滞水セットに対して、該滞水セットにかかる水平荷重を、前記地下貯留槽の設置条件に基づき計算する水平荷重計算ステップと、
前記水平荷重計算ステップにより計算された前記滞水セットの水平荷重の値以上である耐水平荷重を備えた前記基本滞水セットを、前記コンピュータに保持されている基本滞水セットの情報の中から選択すると共に、更に、該選択された前記基本滞水セットの中から、前記滞水容積率の最も大きい前記基本滞水セットを選択して、前記地下貯留槽における滞水槽の前記滞水ユニットを構成する滞水セットとして採用する基本滞水セット選択採用ステップと、で構成されていることを特徴とする地下貯留槽設計支援方法。
【請求項１２】
前記コンピュータが保持する前記基本滞水セットの耐水平荷重は、該基本滞水セットの最下層に位置する滞水材にかかる水平荷重であり、
前記水平荷重計算ステップは、前記滞水セットの最下層に位置する滞水材にかかる水平荷重を計算する請求項１１記載の地下貯留槽設計支援方法。
【請求項１３】
前記コンピュータは、前記基本滞水セットが備える滞水容積率に代えて、該基本滞水セットが備える滞水容積率の大きさの順位を該基本滞水セットと対応させて保持しており、
前記基本滞水セット選択採用ステップは、最も大きい滞水容積率を備えた前記基本滞水セットを選択するのに代えて、滞水容積率の大きさの順位の最も高い前記基本滞水セットを選択する請求項１１又は１２記載の地下貯留槽設計支援方法。
【請求項１４】
設計対象の前記地下貯留槽における滞水槽の滞水ユニットには、形状の異なる複数種類の前記滞水材として、前記滞水ユニットの最上面及び最下面に設置されて面を形成する板材、傾斜面を有し該傾斜面を流れる流水に混在する砂や汚泥が該傾斜面により下方に流れる作用を有する傾斜材、及び、前記板材と前記傾斜材間、又は、前記傾斜材間の支柱の役目を果たす脚材の３種類の滞水材が用いられると共に、
前記コンピュータは、前記板材、前記傾斜材、及び、前記脚材を組み合わせて構成されている前記基本滞水セットの情報を保持している請求項１１〜１３のいずれか１項に記載の地下貯留槽設計支援方法。
【請求項１５】
前記コンピュータは、
前記滞水ユニットの最上部以外で且つ最下部以外の部分に単又は複数使用される前記基本滞水セットの情報として、前記傾斜材を２段連設した第１基本滞水セット、２段の前記傾斜材の上に１段の前記脚材を連設した第２基本滞水セット、１段の前記傾斜材の上に１段の前記脚材を連設した第３基本滞水セット、及び、１段の前記傾斜材の上に２段の前記脚材を連設した第４基本滞水セットの各情報を保持し、
前記滞水ユニットの最下部に一つ使用される前記基本滞水セットの情報として、１段の前記板材の上に１段の前記脚材を連設して構成した底部滞水セットの上に更に前記第１基本滞水セットを連設した第５基本滞水セット、前記底部滞水セットの上に更に前記第２基本滞水セットを連設した第６基本滞水セット、前記底部滞水セットの上に更に前記第３基本滞水セットを連設した第７基本滞水セット、及び、前記底部滞水セットの上に更に前記第４基本滞水セットを連設した第８基本滞水セットの各情報を保持し、
前記滞水ユニットの最上部に一つ使用される前記基本滞水セットの情報として、１段の前記傾斜材の上に２段の前記板材を連設した第９基本滞水セットの情報を保持している請求項１４記載の地下貯留槽設計支援方法。
【請求項１６】
前記基本滞水セット選択採用ステップは、前記コンピュータの保持する基本滞水セットの情報から、
前記滞水ユニットの最上部に使用される滞水セットである最上部滞水セットとして、前記第９基本滞水セットを選択し、
前記滞水ユニットの最下部に使用される滞水セットである最下部滞水セットとして、前記水平荷重計算ステップの計算結果に基づいて、前記第５基本滞水セット、前記第６基本滞水セット、前記第７基本滞水セット、及び、前記第８基本滞水セットの中からいずれかを選択し、
前記最上部滞水セットと前記最下部滞水セットとで挟まれる前記滞水ユニットの部分である中間部滞水ユニットに使用される滞水セットである中間部滞水セットとして、前記水平荷重計算ステップの計算結果に基づいて、前記第１基本滞水セット、前記第２基本滞水セット、前記第３基本滞水セット、及び、前記第４基本滞水セットの中からいずれかを選択して、それぞれ採用すると共に、
前記地下貯留槽設計支援方法は、前記滞水ユニットを構成する滞水ユニット構成ステップを備えており、該滞水ユニット構成ステップは、前記基本滞水セット選択採用ステップにより選択されて採用された前記最上部滞水セット、前記最下部滞水セット、及び、前記中間部滞水セットを用いて、前記コンピュータに保持されている設置条件に基づき、前記滞水ユニットを構成する請求項１５記載の地下貯留槽設計支援方法。
【請求項１７】
前記滞水ユニット構成ステップは、前記基本滞水セット選択採用ステップにより、前記中間部滞水ユニットを構成する中間部滞水セットとして選択された全ての基本滞水セットにおける、該基本滞水セットを構成する滞水材の段数の合計が、前記設置条件により定まる前記中間部滞水ユニットを構成する滞水材の段数である中間部段数よりも多い場合は、前記最上部滞水セットの直下に位置する中間部滞水セットである基本滞水セットを構成する最上層の滞水材から、順に多い段数分の滞水材を取り除いて前記滞水ユニットを構成する請求項１６記載の地下貯留槽設計支援方法。
【請求項１８】
前記コンピュータは、耐鉛直荷重が異なる複数種類の前記第９基本滞水セットを、該第９基本滞水セットの備える耐鉛直荷重と対応させて前記基本滞水セットの情報として保持していると共に、
前記地下貯留槽設計支援方法は、鉛直荷重計算ステップを備えており、
該鉛直荷重計算ステップは、前記コンピュータに保持されている設置条件に基づき、前記最上部滞水セットにかかる鉛直荷重を計算すると共に、
前記基本滞水セット選択採用ステップは、前記鉛直荷重計算ステップにより計算された前記最上部滞水セットの鉛直荷重の値以上である耐鉛直荷重を備えた前記第９基本滞水セットを、前記コンピュータに保持されている基本滞水セットの情報の中から選択して採用する請求項１６又は１７記載の地下貯留槽設計支援方法。
【請求項１９】
設計対象の前記地下貯留槽の滞水槽には、水平状に縦又は横に１列に連設された前記滞水ユニットの列であるＵ字溝滞水ユニット列の下にＵ字溝が設けられ、且つ、
前記Ｕ字溝滞水ユニット列以外の滞水ユニットに用いられる傾斜材は、該傾斜材の傾斜の方向が、前記Ｕ字溝に向かって下がるように設置されると共に、前記Ｕ字溝滞水ユニット列の滞水ユニットであるＵ字溝上滞水ユニットに用いられる傾斜材は、該傾斜材の傾斜の方向が、前記Ｕ字溝滞水ユニット列の方向と同じとなるように設置され、
前記コンピュータは、前記板材に上下方向に開口する開口部を設けて形成された１段の開口板材の上に１段の前記脚材を連設すると共に該脚材の上に更に前記傾斜材を１段連設して構成されたＵ字溝上底部滞水セットの情報を保持しており、
前記地下貯留槽設計支援方法は、Ｕ字溝上滞水ユニットを構成するＵ字溝上滞水ユニット構成ステップを備えており、
該Ｕ字溝上滞水ユニット構成ステップは、
前記滞水ユニット構成ステップにより構成された前記滞水ユニットにおける最下部滞水セットの下層４段を取り除くと共に、取り除いた結果、残る部分がない場合は、前記コンピュータにより保持されている情報である前記Ｕ字溝上底部滞水セットのみで、残る部分がある場合は、該残る部分を前記Ｕ字溝上底部滞水セットの上に連設して、Ｕ字溝上最下部滞水セットを構成し、
該Ｕ字溝上最下部滞水セットの上に、前記滞水ユニットから前記最下部滞水セットを除いた部分で構成される一部省略滞水ユニットを連設すると共に、
前記一部省略滞水ユニットにおける最上部滞水セットと該最上部滞水セットの直下に位置する滞水材との間に、該滞水材が前記傾斜材であれば前記脚材、前記脚材であれば前記傾斜材を挿入し連設して、前記Ｕ字溝上滞水ユニットを構成する請求項１６〜１８のいずれか１項に記載の地下貯留槽設計支援方法。
【請求項２０】
前記水平荷重計算ステップは、前記Ｕ字溝上滞水ユニット構成ステップにより構成された前記Ｕ字溝上滞水ユニットに対して、該Ｕ字溝上滞水ユニットにおける前記一部省略滞水ユニットを構成する各中間部滞水セットに使用されている基本滞水セットにかかる水平荷重を計算すると共に、
前記Ｕ字溝上滞水ユニット構成ステップは、前記水平荷重計算ステップにより計算された、前記Ｕ字溝上滞水ユニットにおける前記一部省略滞水ユニットを構成する各中間部滞水セットに使用されている基本滞水セットにかかる水平荷重の値が、該基本滞水セットの備える耐水平荷重の値よりも小さい場合のみ、該基本滞水セットを構成している下層側の脚材を傾斜材に変更して前記Ｕ字溝上滞水ユニットを構成する請求項１９記載の地下貯留槽設計支援方法。
【請求項２１】
請求項１１〜請求項２０のいずれか１項に記載の地下貯留槽設計支援方法が有する各ステップを備えており、前記コンピュータが実行可能な地下貯留槽設計支援プログラム。
【請求項２２】
請求項２１に記載の地下貯留槽設計支援プログラムが記録されたプログラム記録媒体。
【発明の詳細な説明】
【技術分野】
【０００１】
本発明は、地下貯留槽設計支援装置、地下貯留槽設計支援方法、該設計方法に基づく地下貯留槽設計支援プログラム及び該プログラムを記録したプログラム記録媒体に関する。
【背景技術】
【０００２】
住宅地等では、集中豪雨等により、大量の雨水等が滞留する恐れがあり、この雨水等によって住居に浸水する恐れもある。そこで、大規模な宅地造成地等では、従来から、造成面積に見合う間隔や規模で調整池を造成している。この調整池は、例えば、地面を１ｍ程度掘下げて雨水等の貯留部を形成し、この貯留部に周囲の住宅地からの排水溝や道路の側溝を接続している。このような調整池は、集中豪雨等に際しては、余分な雨水等を一時貯留することにより、周囲の住宅地への雨水等の滞留や下水の河川への流出、或いは、これらに起因する河川の氾濫等を防止しようとするものである。
【０００３】
又、調整池としては、貯留部の周囲を透水シートで形成して、雨水等を徐々に地面に浸透させるように構成した浸透式の貯留部を用いたものもある。このように、貯留部の壁面を防水性シートで形成したり、透水性シートで形成したり、或いは下方を防水性シートで形成し上方を透水性シートで形成したりする等によって、調整池を、貯留施設、浸透施設、或いは、貯留浸透施設として機能させている。
【０００４】
上記のような雨水等の貯留浸透施設には、さまざまなものが存在する。特許文献１に記載の雨水等の貯留浸透施設は、地面を掘下げてタンク部を構成し、その底部からグランドライン付近まで、複数の容器状部材を縦横かつ上下に配設して充填し、最上部には、被覆手段を施したことを特徴とするものである。そして、容器状部材を多数の孔を有する底部及び周側板で構成し、底部に向かって小さくなるテーパ状に構成したことを特徴とするものである。
【０００５】
又、特許文献２に記載の雨水貯留装置は、地面を掘下げて形成した貯水槽の内部に、複数本の支柱を備えた合成樹脂製充填体を縦横に並べ、上下に積み重ねて充填し、その上に被覆手段を施した雨水貯留装置であって、貯水槽の底面に固形分排出用の溝を形成し、少なくとも上方の合成樹脂製充填体の支柱間に多数の水噴射孔を有する散水管、又は多数の排気孔を有する散気管を配設したものである。この雨水貯留装置は、充填体に堆積する固形分を簡単に取り除くことができることから、メンテナンスが容易な利点がある。
【０００６】
ところで、特許文献１に記載の貯留浸透施設は、雨水等と共に砂や汚泥が貯留部に流れ込むことを防止するため、流入部に泥溜め枡を備えているが、長期間使用しているうちに泥溜め枡を通過した砂や汚泥が貯留部の底面に沈殿して堆積する。貯留部は内部に容器状部材が縦横かつ上下に配設して充填されており、堆積した砂や汚泥を除去することが難しい。このため、貯留部の内容積が徐々に少なくなって雨水等の貯留量が少なくなり、内容積が極端に少なくなると調整池として機能しなくなる虞がある。その場合、既設の調整池を掘り起こし、充填部材を撤去後に清掃し、再度充填部材を配設しなおすという手間がかかる上に、その費用も多額となる。また、必要に応じて新規の貯留浸透施設を造成することとなり、その場合は、新たな土地を必要とし、土地の有効利用の妨げになるという問題も生じる。
【０００７】
又、特許文献２に記載の雨水貯留装置は、貯水槽の内部に散水管や散気管を別途配設するため、構成が複雑となって装置の作製が煩雑となり、費用もかさむという問題点がある。そして、散水管や散気管が貯水槽内に位置するため、その分貯水槽の空隙率が下がり貯水量が減るという問題がある。さらに、充填体に堆積する固形分を散水管で取り除くときには、貯水槽を空にして散水管から高圧の水を噴射する操作が必要である。
【０００８】
そこで、これらの問題を解決するべく提案されたのが、特許文献３に記載の新たな構造を備えた地下貯留槽である。この新たな構造を備えた地下貯留槽は、雨水等と共に流入する砂や汚泥を所定の場所に誘導して集め、この場所に堆積した砂や汚泥をバキューム等で吸い出すと共に、所定の場所を洗浄することができる。そのため、長期間使用して貯留部に砂等が堆積しても除去することができ、従って、内容積を長期間にわたって充分に確保することができる。
【０００９】
上記の新たな構造の地下貯留槽は、地下に設置され、滞水材を嵌合し積み上げて空間を構成して滞水槽を形成すると共に、この滞水槽を遮水シート又は透水シートで覆った構造をしている。この地下貯留槽に使用される滞水材は、複数種類の形状の異なるものが用意されており、上記の地下貯留槽はこれらの形状の異なる複数種類の滞水材を組み合わせて構成されている。又、これらの複数種類の各滞水材は、サイズが人手で運べる程度の大きさになっており、強度も大きいことから、人手で施工作業が行えると共に、滞水材を積み重ねるときに、施工者が滞水材の上に載って行っても安定して積み重ねることができるので、施工作業を容易に行うことができる。
【００１０】
この上記の新たな構造の地下貯留槽は、上述したように、複数種類の滞水材を組み合わせて構成する構造を採用したことにより、これら複数種類の滞水材の組み合わせを部分的に変更することが可能であり、地下貯留槽の強度を保ちつつ、貯水部分となる空隙部分が最大となるように構成することができる。そのため、スペース効率のよい地下貯留槽を形成することができる。
【特許文献１】特公平４−２６６４８号公報
【特許文献２】特開２０００−１６０６０６号公報
【特許文献３】特開２００４−０１９１２２号公報
【発明の開示】
【発明が解決しようとする課題】
【００１１】
しかし、上記の新たな構造の地下貯留槽は、上述したように、複数種類の形状の異なる滞水材を組み合わせて構成するため、複雑な構造を有しており、設計段階では、従来、垂直荷重や水平荷重等の計算は、コンピュータで処理可能であるものの、滞水材の組み合わせによる構造の設計作業は、人手で行われていた。しかも、地下貯留槽の強度を保ちつつ、部分的に滞水材の組み合わせを変更して、貯水部分となる空隙部分が最大となるように構成するには、試行錯誤を繰り返さざるを得ず、設計に時間と人手を要していた。
【００１２】
そこで、この発明は、このような状況に対処するためになされたものであって、複数種類の形状の異なる滞水材を組み合わせて構成される地下貯留槽において、強度を保ちつつ、貯水部分となる空隙部分が最大となるような構成とすることが可能な地下貯留槽の設計支援を行う地下貯留槽設計支援装置及び設計支援方法を提供しようとするものである。
【課題を解決するための手段】
【００１３】
まず、本発明の地下貯留槽設計支援装置について説明する。本発明の地下貯留槽設計支援装置は、地下貯留槽を設計支援対象とする設計支援装置である。この地下貯留槽では、形状の異なる複数種類の滞水材の中から一種類以上の滞水材を上下方向に組み合わせて連設して、滞水容積率及び耐水平荷重の異なる複数種類の滞水セットを構成する。この滞水セットの構成に用いられる上記の滞水材とは、地下貯留槽を構築するための空間を形成するために積み上げられる部材をいう。
【００１４】
又、上記の滞水セットには空隙が形成されており、この空隙に雨水等が貯留される。上記の滞水容積率とは、滞水セットにおける雨水等が貯留されるこの空隙部分の容積の、滞水セット全体の体積に対する比率をいう。この滞水セットを上下方向に複数組み合わせて連設して滞水ユニットを構成すると共に、該滞水ユニットを水平状に縦横に連設して雨水等が貯留される滞水槽を構成する。この滞水槽は地下に埋設されて設置される。
【００１５】
図１は、本発明の地下貯留槽設計支援装置の構成を示したブロック図である。図１において、本発明の地下貯留槽設計支援装置は、滞水セット情報保持手段１、設置条件情報保持手段２、水平荷重計算手段３、及び、基本滞水セット選択採用手段４を備えている。
【００１６】
この内、滞水セット情報保持手段１は、複数種類の各滞水セットである基本滞水セットを、この基本滞水セットが備える滞水容積率及び耐水平荷重と対応させて、基本滞水セットの情報として保持している。
【００１７】
又、設置条件情報保持手段２は、地下貯留槽における滞水槽の滞水ユニットを構成する滞水セットにかかる水平荷重を計算するのに必要な条件等の、地下貯留槽の設置条件に関する情報を保持している。
【００１８】
又、水平荷重計算手段３は、設置条件情報保持手段２に保持されている設置条件に基づき、滞水セットにかかる水平荷重を計算する機能を備えている。
【００１９】
又、基本滞水セット選択採用手段４は、水平荷重計算手段３により計算された滞水セットの水平荷重の値以上である耐水平荷重を備えた基本滞水セットを、滞水セット情報保持手段１に保持されている基本滞水セットの情報の中から選択すると共に、更に、この選択された基本滞水セットの中から、滞水容積率の最も大きい基本滞水セットを選択して、地下貯留槽における滞水槽の滞水ユニットを構成する滞水セットとして採用する機能を備えている。
【００２０】
上記の地下貯留槽設計支援装置によれば、滞水セットの水平荷重の値以上の耐水平荷重を備えた基本滞水セットを選択すると共に、更に、選択されたこれらの基本滞水セットの中から、滞水容積率の最も大きい基本滞水セットを選択して、地下貯留槽における滞水槽の滞水ユニットを構成する滞水セットとして採用することができる。従って、複数種類の形状の異なる滞水材を組み合わせて構成される上述した新たな構造の地下貯留槽において、強度を保ちつつ、貯水部分となる空隙部分が最大となるような構成とすることが可能な地下貯留槽を、迅速、且つ、容易に設計することができる。
【００２１】
上記の地下貯留槽設計支援装置において、滞水セット情報保持手段１が保持する基本滞水セットの耐水平荷重を、該基本滞水セットの最下層に位置する滞水材にかかる水平荷重とすると共に、水平荷重計算手段３は、滞水セットの最下層に位置する滞水材にかかる水平荷重を計算するようにするのが好ましい。
【００２２】
滞水セットにかかる水平荷重として、滞水セットの各滞水材にかかる水平荷重の平均を求める方法もあるが、多少複雑となることから、上記のようにするのが便宜である。
【００２３】
又、上記の地下貯留槽設計支援装置において、滞水セット情報保持手段１は、基本滞水セットが備える滞水容積率に代えて、該基本滞水セットが備える滞水容積率の大きさの順位を該基本滞水セットと対応させて保持すると共に、基本滞水セット選択採用手段４は、最も大きい滞水容積率を備えた基本滞水セットを選択するのに代えて、滞水容積率の大きさの順位の最も高い基本滞水セットを選択するようにしてもよい。
【００２４】
このようにすることにより、滞水容積率を用いる場合に比べて、滞水セット情報保持手段１の処理プロセスを簡明にすることができる。
【００２５】
上記の設計対象の地下貯留槽に対して、該地下貯留槽における滞水槽の滞水ユニットを構成する形状の異なる複数種類の上記の滞水材として、具体的に、滞水ユニットの最上面及び最下面に設置されて面を形成する板材、傾斜面を有し該傾斜面を流れる流水に混在する砂や汚泥が該傾斜面により下方に流れる作用を有する傾斜材、及び、板材と傾斜材間、又は、傾斜材間に挿入される支柱の役目を果たす脚材の３種類の滞水材を用いるのが好ましい。
【００２６】
この場合には、滞水セット情報保持手段１は、板材、傾斜材、及び、脚材を組み合わせて構成されている基本滞水セットの情報を保持するように構成される。
【００２７】
このようにすることにより、上述した優れた性能を有する新たな構造の地下貯留槽の設計に、具体的に対処することができる。
【００２８】
更に具体的に、上記の地下貯留槽設計支援装置としては、次のように構成するのが好ましい。まず、滞水セット情報保持手段１は、滞水ユニットの最上部以外で且つ最下部以外の部分に単又は複数使用される基本滞水セットの情報として、傾斜材を２段連設した第１基本滞水セット、２段の傾斜材の上に１段の脚材を連設した第２基本滞水セット、１段の傾斜材の上に１段の脚材を連設した第３基本滞水セット、及び、１段の傾斜材の上に２段の脚材を連設した第４基本滞水セットの各情報を保持するように構成する。
【００２９】
又、同じく、滞水セット情報保持手段１は、滞水ユニットの最下部に一つ使用される基本滞水セットの情報として、１段の板材の上に１段の脚材を連設して構成した底部滞水セットの上に更に上記の第１基本滞水セットを連設した第５基本滞水セット、底部滞水セットの上に更に上記の第２基本滞水セットを連設した第６基本滞水セット、底部滞水セットの上に更に上記の第３基本滞水セットを連設した第７基本滞水セット、及び、底部滞水セットの上に更に上記の第４基本滞水セットを連設した第８基本滞水セットの各情報を保持するように構成する。
【００３０】
そして、又、同じく、滞水セット情報保持手段１は、滞水ユニットの最上部に一つ使用される基本滞水セットの情報として、１段の傾斜材の上に２段の板材を連設した第９基本滞水セットの情報を保持するように構成するのである。
【００３１】
又、基本滞水セット選択採用手段４は、次のように構成する。即ち、滞水ユニットの最上部に使用される滞水セットである最上部滞水セットとして、滞水セット情報保持手段１の保持する基本滞水セットの情報から、第９基本滞水セットを選択して採用する機能を備えるように構成する。
【００３２】
そして、滞水ユニットの最下部に使用される滞水セットである最下部滞水セットとして、水平荷重計算手段３の計算結果に基づいて、滞水セット情報保持手段１の保持する基本滞水セットの情報から、上記の第５基本滞水セット、第６基本滞水セット、第７基本滞水セット、及び、第８基本滞水セットの中のいずれかを選択して採用する機能を備えるように構成する。
【００３３】
更に、上記の最上部滞水セットと最下部滞水セットとで挟まれる滞水ユニットの部分である中間部滞水ユニットに使用される滞水セットである中間部滞水セットとして、水平荷重計算手段３の計算結果に基づいて、滞水セット情報保持手段１の保持する基本滞水セットの情報から、上記の第１基本滞水セット、第２基本滞水セット、第３基本滞水セット、及び、第４基本滞水セットの中のいずれかを選択して採用する機能を備えるように構成する。
【００３４】
又、設置条件情報保持手段は、滞水ユニットを構成する滞水材の段数等の情報を、設置条件の情報として保持している。
【００３５】
そして、上記の地下貯留槽設計支援装置に、滞水ユニットを構成する滞水ユニット構成手段を備える。この滞水ユニット構成手段は、基本滞水セット選択採用手段４により選択されて採用された最上部滞水セット、最下部滞水セット、及び、中間部滞水セットを用いて、設置条件情報保持手段２に保持されている設置条件に基づき、滞水ユニットを構成する機能を備えるようにするのである。
【００３６】
このようにすることにより、上記の優れた性能を有する新たな構造の地下貯留槽の設計に、具体的にきめ細かく対処することができる。
【００３７】
上記の地下貯留槽設計支援装置において、滞水ユニット構成手段は、基本滞水セット選択採用手段４により、中間部滞水ユニットを構成する中間部滞水セットとして選択された全ての基本滞水セットにおける、該基本滞水セットを構成する滞水材の段数の合計が、設置条件により定まる中間部滞水ユニットを構成する滞水材の段数である中間部段数よりも多い場合は、最上部滞水セットの直下に位置する中間部滞水セットである基本滞水セットを構成する最上層の滞水材から、順に多い段数分の滞水材を取り除いて滞水ユニットを構成するのが妥当である。
【００３８】
このようにすることにより、上述した優れた性能を有する新たな構造の地下貯留槽の設計において、設計対象の地下貯留槽の設置条件に対して、具体的に柔軟に対処することができるからである。
【００３９】
又、上記の地下貯留槽設計支援装置を、次のように構成するのが好ましい。即ち、滞水セット情報保持手段１に、第９基本滞水セットを構成する板材の材質が異なる等により耐鉛直荷重が異なる複数種類の第９基本滞水セットを、この第９基本滞水セットの備える耐鉛直荷重と対応させて基本滞水セットの情報として保持させる。又、設置条件情報保持手段２は、設置条件に関する情報として、滞水ユニットの最上部を構成する最上部滞水セットにかかる鉛直荷重を計算するのに必要な情報等を保持している。そして、地下貯留槽設計支援装置に、鉛直荷重計算手段を備えるのである。
【００４０】
この場合に、該鉛直荷重計算手段は、設置条件情報保持手段２に保持されている設置条件に基づき、最上部滞水セットにかかる鉛直荷重を計算する。そして、基本滞水セット選択採用手段４は、鉛直荷重計算手段により計算された最上部滞水セットの鉛直荷重の値以上である耐鉛直荷重を備えた第９基本滞水セットを、滞水セット情報保持手段１に保持されている基本滞水セットの情報の中から選択して採用する。
【００４１】
このようにすることにより、上述したと同様に、上記の新たな構造の地下貯留槽の設計において、設計対象の地下貯留槽の設置条件に対して、柔軟に対処することができる。
【００４２】
上記の地下貯留槽設計支援装置の設計対象として、Ｕ字溝が設けられた地下貯留槽とすることができる。即ち、上記の設計対象の地下貯留槽として、地下貯留槽の滞水槽には、水平状に縦又は横に１列に連設された滞水ユニットの列であるＵ字溝滞水ユニット列の下に、Ｕ字溝が設けられている。そして、Ｕ字溝滞水ユニット列以外の滞水ユニットに用いられる傾斜材は、この傾斜材の傾斜の方向が、Ｕ字溝に向かって下がるように設置されると共に、Ｕ字溝滞水ユニット列の滞水ユニットであるＵ字溝上滞水ユニットに用いられる傾斜材は、この傾斜材の傾斜の方向が、Ｕ字溝滞水ユニット列の方向と同じとなるように設置されている。
【００４３】
この場合に、滞水セット情報保持手段１は、Ｕ字溝上底部滞水セットの情報を保持している。このＵ字溝上底部滞水セットは、上記の板材に上下方向に開口する開口部を設けて形成した１段の開口板材の上に１段の脚材を連設すると共に、該脚材の上に更に傾斜材を１段連設して構成されている。又、地下貯留槽設計支援装置には、Ｕ字溝上滞水ユニットを構成するＵ字溝上滞水ユニット構成手段を備える。このＵ字溝上滞水ユニット構成手段は、次のようにしてＵ字溝上滞水ユニットを構成する。
【００４４】
即ち、上記の滞水ユニット構成手段により構成された滞水ユニットにおける最下部滞水セットの下層４段を取り除き、取り除いた結果、残る部分がない場合は、滞水セット情報保持手段１により保持されている情報であるＵ字溝上底部滞水セットのみで、又、残る部分がある場合は、該残る部分をＵ字溝上底部滞水セットの上に連設して、Ｕ字溝上最下部滞水セットを構成する。
【００４５】
そして、該Ｕ字溝上最下部滞水セットの上に、滞水ユニットから最下部滞水セットを除いた部分で構成される一部省略滞水ユニットを連設する。そして、更に、この一部省略滞水ユニットにおける最上部滞水セットと該最上部滞水セットの直下に位置する滞水材との間に、この滞水材が傾斜材であれば脚材、脚材であれば傾斜材を挿入し連設して、Ｕ字溝上滞水ユニットを構成するのである。
【００４６】
又、上記の場合、更に、次のようにするのが妥当である。即ち、水平荷重計算手段３は、上記のＵ字溝上滞水ユニット構成手段により構成されたＵ字溝上滞水ユニットに対して、Ｕ字溝上滞水ユニットにおける上記の一部省略滞水ユニットを構成する各中間部滞水セットに使用されている基本滞水セットにかかる水平荷重を計算する。そして、Ｕ字溝上滞水ユニット構成手段は、水平荷重計算手段３により計算された、Ｕ字溝上滞水ユニットにおける上記の一部省略滞水ユニットを構成する各中間部滞水セットに使用されている基本滞水セットにかかる水平荷重の値が、この基本滞水セットの備える耐水平荷重の値よりも小さい場合のみ、この基本滞水セットを構成している下層側の脚材を傾斜材に変更してＵ字溝上滞水ユニットを構成するのである。
【００４７】
上述した優れた性能を有する新たな構造の地下貯留槽は、雨水等と共に流入する砂や汚泥を所定の場所に誘導して集める特徴を備えているが、上記のＵ字溝は、この所定の場所としての機能を有している。そこで、上記のようにすることにより、上述した優れた性能を有する新たな構造の地下貯留槽の設計に対処することができる。
【００４８】
次に、本発明の地下貯留槽設計支援方法について説明する。本発明の地下貯留槽設計支援方法は、上述した本発明の地下貯留槽設計支援装置と同様、地下貯留槽を設計支援対象としており、コンピュータにより実行される設計支援方法である。この支援対象の地下貯留槽は、上記の地下貯留槽設計支援装置の支援対象である、上述した地下貯留槽と同じものである。
【００４９】
上記のコンピュータは、複数種類の各滞水セットである基本滞水セットを、この基本滞水セットが備える滞水容積率及び耐水平荷重と対応させて、基本滞水セットの情報として保持していると共に、地下貯留槽の設置条件に関する情報を保持している。
【００５０】
又、上記の地下貯留槽設計支援方法は、水平荷重計算ステップ、及び、基本滞水セット選択採用ステップで構成されている。この内、水平荷重計算ステップは、地下貯留槽における滞水槽の滞水ユニットを構成する滞水セットに対して、該滞水セットにかかる水平荷重を、地下貯留槽の設置条件に基づき計算するステップである。
【００５１】
又、基本滞水セット選択採用ステップは、水平荷重計算ステップにより計算された滞水セットの水平荷重の値以上である耐水平荷重を備えた基本滞水セットを、上記のコンピュータに保持されている基本滞水セットの情報の中から選択すると共に、更に、該選択された基本滞水セットの中から、滞水容積率の最も大きい基本滞水セットを選択して、地下貯留槽における滞水槽の滞水ユニットを構成する滞水セットとして採用するステップである。
【００５２】
上記の地下貯留槽設計支援方法において、上記のコンピュータが保持する基本滞水セットの耐水平荷重を、該基本滞水セットの最下層に位置する滞水材にかかる水平荷重とすると共に、水平荷重計算ステップは、滞水セットの最下層に位置する滞水材にかかる水平荷重を計算するステップとするのが好ましい。
【００５３】
又、上記の地下貯留槽設計支援方法において、上記のコンピュータは、基本滞水セットが備える滞水容積率に代えて、該基本滞水セットが備える滞水容積率の大きさの順位を該基本滞水セットと対応させて保持すると共に、基本滞水セット選択採用ステップは、最も大きい滞水容積率を備えた基本滞水セットを選択するのに代えて、滞水容積率の大きさの順位の最も高い基本滞水セットを選択するようにしてもよい。
【００５４】
上記の設計対象の地下貯留槽に対して、該地下貯留槽における滞水槽の滞水ユニットを構成する形状の異なる複数種類の上記の滞水材として、具体的に、滞水ユニットの最上面及び最下面に設置されて面を形成する板材、傾斜面を有し該傾斜面を流れる流水に混在する砂や汚泥が該傾斜面により下方に流れる作用を有する傾斜材、及び、板材と傾斜材間、又は、傾斜材間の支柱の役目を果たす脚材の３種類の滞水材を用いるのが好ましい。
【００５５】
この場合には、上記のコンピュータは、基本滞水セットが、板材、傾斜材、及び、脚材を組み合わせて構成されている該基本滞水セットの情報を保持する。
【００５６】
具体的に、上記の地下貯留槽設計支援方法としては、次のように構成するのが好ましい。まず、上記のコンピュータは、滞水ユニットの最上部以外で且つ最下部以外の部分に単又は複数使用される基本滞水セットの情報として、傾斜材を２段連設した第１基本滞水セット、２段の傾斜材の上に１段の脚材を連設した第２基本滞水セット、１段の傾斜材の上に１段の脚材を連設した第３基本滞水セット、及び、１段の傾斜材の上に２段の脚材を連設した第４基本滞水セットの各情報を保持する。
【００５７】
又、同じく、上記のコンピュータは、滞水ユニットの最下部に一つ使用される基本滞水セットの情報として、１段の板材の上に１段の脚材を連設して構成した底部滞水セットの上に更に上記の第１基本滞水セットを連設した第５基本滞水セット、底部滞水セットの上に更に上記の第２基本滞水セットを連設した第６基本滞水セット、底部滞水セットの上に更に上記の第３基本滞水セットを連設した第７基本滞水セット、及び、底部滞水セットの上に更に上記の第４基本滞水セットを連設した第８基本滞水セットの各情報を保持する。
【００５８】
そして、又、同じく、上記のコンピュータは、滞水ユニットの最上部に一つ使用される基本滞水セットの情報として、１段の傾斜材の上に２段の板材を連設した第９基本滞水セットの情報を保持するように構成するのである。
【００５９】
又、基本滞水セット選択採用ステップは、次のように構成する。即ち、上記のコンピュータの保持する基本滞水セットの情報から、滞水ユニットの最上部に使用される滞水セットである最上部滞水セットとして、第９基本滞水セットを選択して採用するように構成する。
【００６０】
そして、滞水ユニットの最下部に使用される滞水セットである最下部滞水セットとして、水平荷重計算ステップの計算結果に基づいて、上記のコンピュータの保持する基本滞水セットの情報から、上記の第５基本滞水セット、第６基本滞水セット、第７基本滞水セット、及び、第８基本滞水セットの中のいずれかを選択して採用するように構成する。
【００６１】
更に、上記の最上部滞水セットと最下部滞水セットとで挟まれる滞水ユニットの部分である中間部滞水ユニットに使用される滞水セットである中間部滞水セットとして、水平荷重計算ステップの計算結果に基づいて、上記のコンピュータの保持する基本滞水セットの情報から、上記の第１基本滞水セット、第２基本滞水セット、第３基本滞水セット、及び、第４基本滞水セットの中のいずれかを選択して採用するように構成する。
【００６２】
又、上記のコンピュータは、滞水ユニットを構成する滞水材の段数等の情報を、設置条件の情報として保持している。
【００６３】
そして、上記の地下貯留槽設計支援方法に、滞水ユニットを構成する滞水ユニット構成ステップを備える。この滞水ユニット構成ステップは、基本滞水セット選択採用ステップにより選択されて採用された最上部滞水セット、最下部滞水セット、及び、中間部滞水セットを用いて、上記のコンピュータに保持されている設置条件に基づき、滞水ユニットを構成するのである。
【００６４】
上記の地下貯留槽設計支援方法において、滞水ユニット構成ステップは、基本滞水セット選択採用ステップにより、中間部滞水ユニットを構成する中間部滞水セットとして選択された全ての基本滞水セットにおける、該基本滞水セットを構成する滞水材の段数の合計が、設置条件により定まる中間部滞水ユニットを構成する滞水材の段数である中間部段数よりも多い場合は、最上部滞水セットの直下に位置する中間部滞水セットである基本滞水セットを構成する最上層の滞水材から、順に多い段数分の滞水材を取り除いて滞水ユニットを構成するのが妥当である。
【００６５】
又、上記の地下貯留槽設計支援方法を、次のように構成するのが好ましい。即ち、コンピュータに、第９基本滞水セットを構成する板材の材質が異なる等により耐鉛直荷重が異なる複数種類の第９基本滞水セットを、この第９基本滞水セットの備える耐鉛直荷重と対応させて基本滞水セットの情報として保持させる。又、同じく、上記のコンピュータは、設置条件に関する情報として、地下貯留槽における滞水槽の滞水ユニットの最上部を構成する最上部滞水セットに対して、該最上部滞水セットにかかる鉛直荷重である鉛直荷重を計算するのに必要な設置条件の情報を保持する。そして、地下貯留槽設計支援方法に、鉛直荷重計算ステップを備えるのである。
【００６６】
この場合に、該鉛直荷重計算ステップは、コンピュータに保持されている設置条件に基づき、最上部滞水セットにかかる鉛直荷重を計算する。そして、基本滞水セット選択採用ステップは、鉛直荷重計算ステップにより計算された最上部滞水セットの鉛直荷重の値以上である耐鉛直荷重を備えた第９基本滞水セットを、コンピュータに保持されている基本滞水セットの情報の中から選択して採用する。
【００６７】
上記の地下貯留槽設計支援装置の設計対象として、Ｕ字溝が設けられた地下貯留槽とすることができる。即ち、上記の設計対象の地下貯留槽として、該地下貯留槽の滞水槽には、水平状に縦又は横に１列に連設された滞水ユニットの列であるＵ字溝滞水ユニット列の下に、Ｕ字溝が設けられている。そして、Ｕ字溝滞水ユニット列以外の滞水ユニットに用いられる傾斜材は、この傾斜材の傾斜の方向が、Ｕ字溝に向かって下がるように設置されると共に、Ｕ字溝滞水ユニット列の滞水ユニットであるＵ字溝上滞水ユニットに用いられる傾斜材は、この傾斜材の傾斜の方向が、Ｕ字溝滞水ユニット列の方向と同じとなるように設置されている。
【００６８】
この場合に、上記のコンピュータは、Ｕ字溝上底部滞水セットの情報を保持している。このＵ字溝上底部滞水セットは、上記の板材に上下方向に開口する開口部を設けて形成した１段の開口板材の上に１段の脚材を連設すると共に、該脚材の上に更に傾斜材を１段連設して構成されている。又、上記の地下貯留槽設計支援方法には、Ｕ字溝上滞水ユニットを構成するＵ字溝上滞水ユニット構成ステップを備える。このＵ字溝上滞水ユニット構成ステップは、次のようにしてＵ字溝上滞水ユニットを構成する。
【００６９】
即ち、上記の滞水ユニット構成ステップにより構成された滞水ユニットにおける最下部滞水セットの下層４段を取り除き、取り除いた結果、残る部分がない場合は、コンピュータにより保持されている情報であるＵ字溝上底部滞水セットのみで、又、残る部分がある場合は、該残る部分をＵ字溝上底部滞水セットの上に連設して、Ｕ字溝上最下部滞水セットを構成する。
【００７０】
そして、該Ｕ字溝上最下部滞水セットの上に、滞水ユニットから最下部滞水セットを除いた部分で構成される一部省略滞水ユニットを連設する。そして、更に、この一部省略滞水ユニットにおける最上部滞水セットと該最上部滞水セットの直下に位置する滞水材との間に、この滞水材が傾斜材であれば脚材、脚材であれば傾斜材を挿入し連設して、Ｕ字溝上滞水ユニットを構成するのである。
【００７１】
上記の場合、更に、次のようにするのが妥当である。即ち、水平荷重計算ステップは、
上記のＵ字溝上滞水ユニット構成ステップにより構成されたＵ字溝上滞水ユニットに対して、該Ｕ字溝上滞水ユニットにおける上記の一部省略滞水ユニットを構成する各中間部滞水セットに使用されている基本滞水セットにかかる水平荷重を計算する。
【００７２】
そして、Ｕ字溝上滞水ユニット構成ステップは、水平荷重計算ステップにより計算された、Ｕ字溝上滞水ユニットにおける上記の一部省略滞水ユニットを構成する各中間部滞水セットに使用されている基本滞水セットにかかる水平荷重の値が、この基本滞水セットの備える耐水平荷重の値よりも小さい場合のみ、この基本滞水セットを構成している下層側の脚材を傾斜材に変更してＵ字溝上滞水ユニットを構成するのである。
【００７３】
上記の各地下貯留槽設計支援方法によれば、上述した地下貯留槽設計支援装置を使用して得られる作用、効果と同様の作用、効果を得ることができる。
【００７４】
本発明の地下貯留槽設計支援プログラムは、上記の各地下貯留槽設計支援方法が有する各ステップを備えたプログラムであって、上記のコンピュータが実行可能なプログラムである。又、本発明のプログラム媒体は、上記の地下貯留槽設計支援プログラムが記録されたプログラム媒体である。
【発明の効果】
【００７５】
本発明によれば、滞水セットの水平荷重の値以上の耐水平荷重を備えた基本滞水セットを選択すると共に、更に、選択されたこれらの基本滞水セットの中から、滞水容積率の最も大きい基本滞水セットを選択して、地下貯留槽における滞水槽の滞水ユニットを構成する滞水セットとして採用することができる。従って、複数種類の形状の異なる滞水材を組み合わせて構成される上述した新たな構造の地下貯留槽において、強度を保ちつつ、貯水部分となる空隙部分が最大となるような構成とすることが可能な地下貯留槽を、迅速、且つ、容易に設計することができる。
【００７６】
又、具体的には、板材、傾斜材、及び、脚材を滞水材として用いる地下貯留槽の設計や、Ｕ字溝を備えた地下貯留槽の設計に、迅速、且つ、容易に対処することができる。
【発明を実施するための最良の形態】
【００７７】
以下、本実施の形態における地下貯留槽設計支援装置について、図面を参照しながら詳しく説明する。この地下貯留槽設計支援装置は、前述した新たな構造の地下貯留槽を設計支援の対象としている。
【００７８】
＜設計支援の対象である地下貯留槽の説明＞
そこで、まず、前述した新たな構造の地下貯留槽について詳しく説明する。図２は、この地下貯留槽の例の断面図である。この地下貯留槽は、前述したように、地下に設置される。即ち、図２に示すように、地表５１から地中５２に穴を掘って、基礎コンクリート２６を打ち、その上に保護シート２５と遮水シート２４又は透水シートを敷くと共に、中央にコンクリート２７及びコ字形のコンクリート製の枠を用いて、溝状のＵ字溝２８を形成する。
【００７９】
溝状のＵ字溝２８を形成後、遮水シート２４又は透水シートの上に、滞水材２０を嵌合し積み上げて空間を構成して滞水槽５０を形成する。そして、この滞水槽５０の側面を遮水シート２４又は透水シートで覆う。図２のように遮水シート２４を用いると、雨水等を貯留する機能を備えた地下貯留槽となるが、透水シートを用いると、雨水等を透水する機能を備えた地下透水槽となる。又、下方を防水性シートで覆い上方を透水性シートで覆うことにより、両者の機能を共に有する地下貯留透水槽とすることもできる。
【００８０】
滞水槽５０の側面を遮水シート２４又は透水シートで覆った後、掘り出した土を埋め戻して滞水槽５０を埋設して、地下貯留槽の設置が完成する。この地下貯留槽における滞水槽５０の地表からの埋設深さや滞水槽５０の容量等の仕様は、この地下貯留槽の設置条件により定まる。又、この地下貯留槽の滞水槽５０には、集水桝５４に連結されている導水管５５が連結される。集水桝５４は、道路に設けられている側溝等と導水管５３で連結されており、雨水等が集水桝５４に集められる。この雨水等が更に、導水管５５を通って、上記の地下貯留槽の滞水槽５０に流れ込む仕組みになっている。この地下貯留槽は、雨水貯留用に使用されるほか、工場排水や農業排水等の貯留用にも使用することができる。
【００８１】
図３は、上記の地下貯留槽の滞水槽５０の外観を示した斜視図である。図３に示すように、上記の地下貯留槽の滞水槽５０は、滞水材２０を嵌合して連設することにより積み上げて形成される滞水ユニット４０を、水平状に縦横に配列して連設することにより形成される。又、Ｕ字溝２８には、Ｕ字溝上滞水ユニット４１が形成される。又、図３に示す滞水槽５０には、図２に図示されていないマンホール４５が備えられている。上記のＵ字溝上滞水ユニット４１の構成は、滞水ユニット４０を基にして定められる。そこで、まず、滞水ユニット４０について説明する。
【００８２】
図４は、上記の滞水ユニット４０の外観を示した斜視図である。図４に示すように、滞水ユニット４０は、上述したように、滞水材２０を嵌合して連設することにより積み上げて形成されているが、具体的には、複数種類の滞水材２０を上下方向に組み合わせて嵌合して構成される滞水セット３０を、上下方向に連設して構成されるのである。
【００８３】
上記の滞水材２０は、複数種類の形状の異なるものが用意されている。具体的には、板材２１、傾斜材２２、及び、脚材２３の３種類が用意されている。これらの滞水材２０は、ポリプロピレン樹脂等のプラスチック製で、そのサイズは、施工作業を容易にするために、人手で運べる程度の大きさであり、滞水材２０の種類毎に、同じ形状で且つ同じサイズに定められている。
【００８４】
図５は、上記の３種類の滞水材２０の外観を示した斜視図であり、図５(ａ)は板材２１、図５(ｂ)は傾斜材２２、そして、図５(ｃ)は脚材２３を表している。又、図６は、この３種類の滞水材２０を、後述する説明用に簡略化して表したものであり、図６(ａ)は板材２１、図６(ｂ)は傾斜材２２、そして、図６(ｃ)は脚材２３を表している。尚、実際の板材２１は、他の滞水材２０よりも厚さが薄いが、図６では他の滞水材２０と同じ厚さとしている。
【００８５】
上記の板材２１は、滞水ユニット４０の最上面及び最下面に設置されて面を形成するのに使用される。又、傾斜材２２は、傾斜面を有しており、この傾斜面により雨水等に混在する砂や汚泥等をその重力や流水の勢いを利用して所定場所へ向かって流す機能を備えている。又、脚材２３は、板材と傾斜材２２との間、又は、傾斜材２２相互間に挿入されて支柱として使用され、４個単位で用いられる。
【００８６】
これらの板材２１、傾斜材２２、及び、脚材２３の滞水材２０中から、一種類以上を選んで上下方向に組み合わせることにより、上記の滞水セット３０が構成される。従って、滞水セット３０には、構成や段数の異なる種々のものが存在する。
【００８７】
この滞水セット３０には空隙が形成され、この空隙に雨水等が貯留される。この滞水セット３０は、滞水材２０の組み合わせの違いにより、滞水セット３０の全体の体積に対する空隙部分の容積の比率である滞水容積率、及び、地中に埋設時にこの滞水セット３０が耐え得る水平荷重である耐水平荷重が異なる。上述したように、滞水材２０は、この滞水材２０の種類毎に、同じ形状で且つ同じサイズに定められているので、これらの滞水材２０を組み合わせて構成される各滞水セット３０も、滞水セット３０の種類毎に、同じ形状で且つ同じサイズに定められている。又、上記の滞水容積率及び耐水平荷重についても、各滞水セット３０を構成する滞水材２０の形状やサイズ等により、それぞれ定まる一定の同じ値を有している。
【００８８】
これらの滞水セット３０を、上下方向に連設して滞水ユニット４０が構成されるが、この滞水セット３０は、滞水ユニット４０の上下方向のどの部分に使用されるかによって、最上部滞水セット３１、最下部滞水セット３３、及び、中間部滞水セット３２の３種類に分かれる。最上部滞水セット３１は、滞水ユニット４０の最上部に一つ使用される滞水セット３０である。最下部滞水セット３３は、滞水ユニット４０の最下部に一つ使用される滞水セット３０である。そして、中間部滞水セット３２は、滞水ユニット４０の最上部以外で且つ最下部以外の部分、即ち、上記の最上部滞水セット３１と上記の最下部滞水セット３３とで挟まれる滞水ユニット４０の部分に一つ又は複数個使用される滞水セット３０である。上記の最上部滞水セット３１と上記の最下部滞水セット３３とで挟まれる滞水ユニット４０の部分を中間部滞水ユニット４０ａと称する。従って、中間部滞水セット３２は、中間部滞水ユニット４０ａに少なくとも一つ使用される滞水セット３０である。
【００８９】
上記の最上部滞水セット３１、最下部滞水セット３３、及び、中間部滞水セット３２に使用される滞水セット３０は、滞水材２０の組み合わせ方で、上述したように、構成や段数の異なる種々のものが構成される。これらの異なる構成を有するそれぞれの滞水セット３０を、基本滞水セットと称する。図７〜図９は、これらの各種の基本滞水セットを示したものである。上記の最上部滞水セット３１、最下部滞水セット３３、及び、中間部滞水セット３２は、それぞれ、これらの基本滞水セットの中から選択して採用される。
【００９０】
最上部滞水セット３１に用いられる基本滞水セットとしては、図７に示す１段の傾斜材２２の上に２段の板材を連設した第９基本滞水セット３１ａが用意されている。この第９基本滞水セット３１ａは、第９基本滞水セットを構成する板材の材質が異なることで耐鉛直荷重が異なる複数種類が用意されており、最上部滞水セット３１にかかる鉛直荷重により、いずれかが選択されて採用される。最上部滞水セット３１にかかる鉛直荷重は、上記の地下貯留槽の設置条件における滞水槽５０の地表からの埋設深さ等により計算することができる。
【００９１】
中間部滞水セット３２に用いられる基本滞水セットとしては、傾斜材２２を２段連設した図８(ａ)に示す第１基本滞水セット３２ａ、２段の傾斜材２２の上に１段の脚材２３を連設した図８(ｂ)に示す第２基本滞水セット３２ｂ、１段の傾斜材２２の上に１段の脚材２３を連設した図８(ｃ)に示す第３基本滞水セット３２ｃ、及び、１段の傾斜材２２の上に２段の脚材２３を連設した図８(ｄ)に示す第４基本滞水セット３２ｄが用意されている。
【００９２】
この中間部滞水セット３２に用いられる各基本滞水セットにおける耐水平荷重は、構造上、第１基本滞水セット３２ａが最も大きく、第２基本滞水セット３２ｂから第４基本滞水セット３２ｄにかけて次第に小さくなる。これに対して、滞水容積率は、構造上、第１基本滞水セット３２ａが最も低く、第２基本滞水セット３２ｂから第４基本滞水セット３２ｄにかけて次第に高くなる。
【００９３】
そこで、中間部滞水セット３２として使用される基本滞水セットとしては、中間部滞水セット３２にかかる水平荷重により、上記の基本滞水セットの中から、この水平荷重に耐える基本滞水セットが選択されると共に、更にこの選択された基本滞水セットの中から、滞水容積率の最も高い基本滞水セットが選択されて採用される。中間部滞水セット３２にかかる水平荷重は、中間部滞水セット３２の埋設深さ等から計算することができ、この中間部滞水セット３２の埋設深さ等は、上記の地下貯留槽の設置条件から計算することができる。
【００９４】
最下部滞水セット３３に用いられる基本滞水セットとしては、１段の板材の上に１段の脚材２３を連設して構成した底部滞水セット３４の上に、上記の第１基本滞水セット３２ａを連設した図９(ａ)に示す第５基本滞水セット３３ａ、同じく底部滞水セット３４の上に上記の第２基本滞水セット３２ｂを連設した図９(ｂ)に示す第６基本滞水セット３３ｂ、同じく底部滞水セット３４の上に上記の第３基本滞水セット３２ｃを連設した図９(ｃ)に示す第７基本滞水セット３３ｃ、及び、同じく底部滞水セット３４の上に上記の第４基本滞水セット３２ｄを連設した図９(ｄ)に示す第８基本滞水セット３３ｄが用意されている。
【００９５】
この最下部滞水セット３３に用いられる各基本滞水セットにおける耐水平荷重及び滞水容積率は、最下部滞水セット３３が構造的に底部滞水セット３４の上に中間部滞水セット３２を連設したものであるので、中間部滞水セット３２と同様の状況である。即ち、耐水平荷重は、第５基本滞水セット３３ａが最も大きく、第６基本滞水セット３３ｂから第８基本滞水セット３３ｄにかけて次第に小さくなる。これに対して、滞水容積率は、第５基本滞水セット３３ａが最も低く、第６基本滞水セット３３ｂから第８基本滞水セット３３ｄにかけて次第に高くなる。
【００９６】
そこで、中間部滞水セット３２と同様、最下部滞水セット３３として使用される基本滞水セットは、最下部滞水セット３３にかかる水平荷重により、上記の基本滞水セットの中から、この水平荷重に耐える基本滞水セットが選択されると共に、更にこの選択された基本滞水セットの中から、滞水容積率の最も高い基本滞水セットが選択されて採用される。最下部滞水セット３３にかかる水平荷重は、中間部滞水セット３２と同様、最下部滞水セット３３の埋設深さ等から計算することができ、この最下部滞水セット３３の埋設深さ等は、上記の地下貯留槽の設置条件から計算することができる。
【００９７】
ところで、上記の地下貯留槽における滞水槽５０の地表からの埋設深さや滞水槽５０の容量等の仕様は、上述したように、上記の地下貯留槽の設置条件により定まる。即ち、設置条件から滞水槽５０を構成する滞水ユニット４０の高さが定まり、この滞水ユニット４０の高さから滞水ユニット４０を構成する滞水材２０の段数が定まる。この設置条件から定まる滞水ユニット４０を構成する滞水材２０の段数から、最上部滞水セット３１に採用された基本滞水セットの段数と、最下部滞水セット３３に採用された基本滞水セットの段数とを差し引いた残りの段数を中間部段数と称する。又、滞水ユニット４０の中間部段数相当部分は、上述した最上部滞水セット３１と最下部滞水セット３３とで挟まれる滞水ユニット４０の部分であり、上述した中間部滞水ユニット４０ａに相当する。
【００９８】
滞水ユニット４０におけるこの中間部滞水ユニット４０ａの構成には、上述した中間部滞水セット３２として選択採用される基本滞水セットが用いられる。この基本滞水セットの選択採用は、中間部滞水ユニット４０ａの１番下に位置する中間部滞水セット３２から順に１個ずつ、上述した方法で水平荷重を計算しながら行われる。従って、水平荷重の計算の結果によっては、中間部滞水ユニット４０ａの下の方と上の方とで、同じ種類の基本滞水セットが選択される場合もあるし、異なる種類の基本滞水セットが選択される場合もある。例えば、中間部滞水ユニット４０ａの１番下に位置する中間部滞水セット３２として選択された基本滞水セットが第２基本滞水セット３２ｂで、この滞水セットの上に連設される中間部滞水セット３２として選択された基本滞水セットが、水平荷重の計算の結果によっては、同じ第２基本滞水セット３２ｂの場合もあれば、第３基本滞水セット３２ｃ等の場合もある。
【００９９】
又、選択採用される基本滞水セットの個数は、選択採用された全ての基本滞水セットをそれぞれ構成する滞水材２０の段数の合計が、上記の中間部段数を充足するのに必要な個数とする。
【０１００】
そうすると、以上のようにして選択採用された基本滞水セットにより構成された中間部滞水ユニット４０ａの滞水材２０の段数が、設置条件により定まる中間部段数より多い場合が生じる。この場合は、最上部滞水セット３１の直下に位置する中間部滞水セット３２である基本滞水セットにおいて、該基本滞水セットを構成する最上層の滞水材２０から順に、多い段数分の滞水材２０を取り除いて滞水ユニット４０を構成する。
【０１０１】
図１０は、この構成方法の例について説明したものである。図１０(ａ)は、構成の途中を示したものであり、図１０(ｂ)は、構成した結果を示したものである。図１０(ａ)において、例えば、上記の地下貯留槽の設置条件における貯留槽の容量から、滞水ユニット４０の個数と滞水ユニット４０を構成する滞水材２０の段数が定まる。この段数が１３段であったとする。そして、最上部滞水セット３１として用いる基本滞水セットとして、第９基本滞水セット３１ａ(図１０(ａ)のア)が選択され、最下部滞水セット３３として用いる基本滞水セットとして、第８基本滞水セット３３ｄ(図１０(ａ)のイ)が選択されたとする。
【０１０２】
ここで、設置条件により定まる滞水ユニット４０を構成する滞水材２０の段数である１３段から、第９基本滞水セット３１ａ構成する滞水材２０の段数である３段と、第８基本滞水セット３３ｄを構成する滞水材２０の段数である５段を引くと、５段となるので、上述した設置条件により定まる中間部段数は５段である。そこでこの設置条件により定まる中間部段数を充足するだけの中間部滞水セット３２として用いる基本滞水セットが採用される。その結果として、図１０(ａ)に示すように、第４基本滞水セット３２ｄ(図１０(ａ)のウとエ)が２個選択採用されたとする。この構成では、中間部滞水セット３２として選択採用された全ての基本滞水セットにおける、該基本滞水セットを構成する滞水材２０の段数の合計は、第４基本滞水セット３２ｄを構成する滞水材２０の段数である３段の２倍であり、６段となる。この段数は、設置条件により定まる中間部滞水ユニット４０ａを構成する滞水材２０の段数である中間部段数５段よりも１段多い。
【０１０３】
そこで、最上部滞水セット３１の直下に位置する中間部滞水セット３２として採用された基本滞水セットを構成する最上層の滞水材２０から、順に多い段数分、即ち、１段分の滞水材２０を取り除いて、滞水ユニット４０を構成する。この場合、最上部滞水セット３１の直下に位置する中間部滞水セット３２として採用された基本滞水セットは、第４基本滞水セット３２ｄであり、この第４基本滞水セット３２ｄは、３段の滞水材２０で構成されている。そして、この第４基本滞水セット３２ｄの最上層は、脚材２３(図１０(ａ)のＪ)であるので、この脚材２３を取り除くと、図１０(ｂ)に示すようになる。即ち、図１０(ａ)の(エ)と比べると、図１０(ｂ)の(エ)は１段少なくなっている。このようにして構成された滞水ユニット４０が、図４に示した滞水ユニット４０である。
【０１０４】
尚、上記の例では、最下部滞水セット３３として用いる基本滞水セットが第８基本滞水セット３３ｄで、中間部滞水ユニット４０ａを構成する中間部滞水セット３２として採用された基本滞水セットが、第４基本滞水セット３２ｄの２個であるが、これらの組み合わせとしては、地下貯留槽の設置条件によっては、さまざまな組み合わせが考えられる。例えば、最下部滞水セット３３として用いられる基本滞水セットとして、第８基本滞水セット３３ｄ以外の、第５基本滞水セット３３ａ、第６基本滞水セット３３ｂ、又は、第７基本滞水セット３３ｃのいずれの場合もあり得る。又、中間部滞水ユニット４０ａを構成する中間部滞水セット３２として採用される基本滞水セットとしては、第４基本滞水セット３２ｄ以外の、第１基本滞水セット３２ａ、第２基本滞水セット３２ｂ、又は、第３基本滞水セット３２ｃのいずれの場合もあり得るし、上述したように、中間部滞水ユニット４０ａの下の方と上の方とで、同じ種類の基本滞水セットが選択される場合もあれば、異なる種類の基本滞水セットが選択される場合もある。
【０１０５】
次に、Ｕ字溝上滞水ユニット４１について説明する。上述したように、上記の地下貯留槽には、図３に示すように、水平状に縦又は横に１列に並んだ滞水ユニット４０の列の下に、この列に沿って、Ｕ字溝２８が設けられている。このＵ字溝２８の上に位置する滞水ユニット４０を、Ｕ字溝上滞水ユニット４１と称する。又、このＵ字溝上滞水ユニット４１が１列に並んでいる列を、Ｕ字溝滞水ユニット列と称する。
【０１０６】
このＵ字溝上滞水ユニット４１を備えている地下貯留槽では、Ｕ字溝滞水ユニット列以外の滞水ユニット４０の滞水セット３０に含まれる傾斜材２２の傾斜の方向が、図３に示すように、Ｕ字溝２８に向かって下がるように設置されると共に、Ｕ字溝滞水ユニット列を形成しているＵ字溝上滞水ユニット４１に含まれる傾斜材２２の傾斜の方向が、Ｕ字溝滞水ユニット列の方向と同じとなるように配設されている。これは、傾斜材２２を流れる砂や汚泥等が、Ｕ字溝２８に流れ込みやすいようにするためである。尚、図３及び図４に表示されている滞水ユニット４０の頂部表面には、矢印３５や矢印３６が表示されているが、この矢印３５や矢印３６は、その矢印の表示がある滞水ユニット４０を構成している滞水セットに含まれている傾斜材２２の傾斜の向き、即ち、傾斜が低くなる方向を示すために用いられている。しかし、実際の滞水ユニット４０には、このような矢印３５や矢印３６は表示されていない。
【０１０７】
上記のＵ字溝上滞水ユニット４１は、上述したように、滞水ユニット４０を基にして、上記の地下貯留槽の設置条件に基づき定められる。即ち、板材２１に上下方向に開口する開口部を設けて形成した１段の開口板材２１ａの上に１段の脚材２３を連設すると共に、該脚材２３の上に更に傾斜材２２を１段連設してＵ字溝上底部滞水セット３８を構成する。そして、滞水ユニット４０における最下部滞水セット３３の下層４段を取り除いて残る部分がない場合は、Ｕ字溝上底部滞水セット３８のみで、残る部分がある場合は、この残る部分を上記のＵ字溝上底部滞水セット３８の上に連設してＵ字溝上最下部滞水セット３７とする。
【０１０８】
そして、更に、このＵ字溝上最下部滞水セット３７の上に、滞水ユニット４０から最下部滞水セット３３を除いた部分で構成される一部省略滞水ユニット４０ｂを連設する。その上で、更に、最上部滞水セット３１と、一部省略滞水ユニット４０ｂにおけるこの最上部滞水セット３１の直下に位置する滞水材２０との間に、滞水材２０を挿入し連設して、Ｕ字溝上滞水ユニット４１を構成する。挿入する滞水材２０としては、一部省略滞水ユニット４０ｂにおける最上部滞水セット３１の直下に位置する滞水材２０が、傾斜材２２であれば脚材２３を、脚材２３であれば傾斜材２２を用いる。
【０１０９】
このように、滞水材２０を１段挿入するのは、Ｕ字溝上滞水ユニット４１を構成するＵ字溝上最下部滞水セット３７の段数が、滞水ユニット４０を構成する最下部滞水セット３３の段数よりも１段少なくなるので、これを補って、Ｕ字溝上滞水ユニット４１の段数を滞水ユニット４０の段数と同数にするためである。又、Ｕ字溝上滞水ユニット４１を構成するＵ字溝上最下部滞水セット３７の段数を、滞水ユニット４０を構成する最下部滞水セット３３の段数よりも１段少なくして、その上に、一部省略滞水ユニット４０ｂを連設するのは、滞水ユニット４０を流れる砂や汚泥等が、スムースにＵ字溝上滞水ユニット４１を経由してＵ字溝２８に流れ込むようにするためである。
【０１１０】
図１１は、上記の滞水ユニット４０の例に基づいて、この滞水ユニット４０からＵ字溝上滞水ユニット４１を構成する上記の構成方法を説明したものである。この場合、基になる滞水ユニット４０は、最上部滞水セット３１として、第９基本滞水セット３１ａ(図１０(ｂ)のア)を、最下部滞水セット３３として、第８基本滞水セット３３ｄ(図１１(ａ)のイ)を、そして、中間部滞水セット３２として、第４基本滞水セット３２ｄ(図１１(ａ)のウとエ)を、それぞれ採用して構成されている。
【０１１１】
そこで、Ｕ字溝上滞水ユニット４１は、次の手順で構成される。まず、上記の滞水ユニット４０において、最下部滞水セット３３である第８基本滞水セット３３ｄから下層４段を取り除くと、脚材２３(図１０(ｂ)のＫ)のみが残る。又、滞水ユニット４０から最下部滞水セット３３を除いて、一部省略滞水ユニット４０ｂが構成される。この一部省略滞水ユニット４０ｂは、図１０(ｂ)の(ア)、(ウ)及び(エ)で構成される。
【０１１２】
一方、図１１(ａ)において、Ｕ字溝上滞水ユニット４１としては、まず、下から上に向かって、開口板材２１ａ、脚材２３、及び、傾斜材２２を順に連設してＵ字溝上底部滞水セット３８を構成し、このＵ字溝上底部滞水セット３８の上に、上記で残った脚材２３(図１０(ｂ)のＫ)を連設して、Ｕ字溝上最下部滞水セット３７(図１１(ａ)のキ)を構成する。
【０１１３】
次に、このＵ字溝上最下部滞水セット３７の上に、上記の一部省略滞水ユニット４０ｂ(図１１(ａ)のカ、ク及びケ)を連設する。そうすると、一部省略滞水ユニット４０ｂにおける最上部滞水セット３１の直下に位置する滞水材２０は、脚材２３(図１０(ａ)のＰ)であるから、傾斜材２２(図１１(ｂ)のＱ)を、Ｕ字溝上最下部滞水セット３７の上に連設された一部省略滞水ユニット４０ｂにおける最上部滞水セット３１と、この最上部滞水セット３１の直下に位置する滞水材２０である脚材２３(図１１(ｂ)のＰ)との間に挿入する。このようにして、図１１(ｂ)に示すようなＵ字溝上滞水ユニット４１が構成される。
【０１１４】
上記のようにして構成されたＵ字溝上滞水ユニット４１では、図１１(ａ，ｂ)及び図９からわかる通り、Ｕ字溝上最下部滞水セット３７の下側３段は、滞水ユニット４０の最下部滞水セット３３に用いられる基本滞水セットのいずれとも、その下側３段と構成が全く同じであり、且つ、Ｕ字溝上最下部滞水セット３７の段数は、最下部滞水セット３３に用いられる基本滞水セットの段数よりも１段低くなるので、Ｕ字溝上最下部滞水セット３７の耐水平荷重は、最下部滞水セット３３の耐水平荷重よりも大きい。そのため、最下部滞水セット３３が水平荷重に十分耐える以上、Ｕ字溝上最下部滞水セット３７も水平荷重に十分耐え得る。
【０１１５】
しかし、Ｕ字溝上滞水ユニット４１における上記の一部省略滞水ユニット４０ｂを構成する各中間部滞水セット３２に使用されている基本滞水セットの位置は、滞水ユニット４０における一部省略滞水ユニット４０ｂを構成する各基本滞水セットの位置よりも一段低いことから、滞水ユニット４０における一部省略滞水ユニット４０ｂを構成する各中間部滞水セット３２に使用されている基本滞水セットが水平荷重に十分耐えるからといって、Ｕ字溝上滞水ユニット４１における一部省略滞水ユニット４０ｂを構成する各中間部滞水セット３２に使用されている基本滞水セットが水平荷重に十分耐え得るとはいえない。
【０１１６】
そこで、Ｕ字溝上滞水ユニット４１に対して、更に、Ｕ字溝上滞水ユニット４１における一部省略滞水ユニット４０ｂを構成する各中間部滞水セット３２に使用されている基本滞水セットにかかる水平荷重の計算を行う。そして、この計算した基本滞水セットにかかる水平荷重の値が、この基本滞水セットの備える耐水平荷重の値よりも小さい場合のみ、この基本滞水セットを構成している下層側の脚材２３を、傾斜材２２に変更してＵ字溝上滞水ユニット４１を構成し、Ｕ字溝上滞水ユニット４１の耐水平荷重の強化を図る。
【０１１７】
上述の例では、図１１(ｂ)において、例えば、(ク)の部分は第４基本滞水セット３２ｄが用いられているが、この(ク)の部分の水平荷重の値が、第４基本滞水セット３２ｄの耐水平荷重の値よりも小さい場合は、(ク)の部分の第４基本滞水セット３２ｄの下層側の脚材２３、即ち、中層の脚材２３(図１１(ｂ)のＲ)を傾斜材２２に変更してＵ字溝上滞水ユニット４１を構成する。Ｕ字溝上滞水ユニット４１における一部省略滞水ユニット４０ｂを構成する他の基本滞水セットに対しても同様の処理を行う。
【０１１８】
＜地下貯留槽設計支援装置の説明＞
次に、本実施の形態における地下貯留槽設計支援装置について説明する。この地下貯留槽設計支援装置は、上述した地下貯留槽の設計支援を行う装置である。この装置のハードウエアとしては、ワークステーションや高性能のパソコンが用いられる。これらのワークステーションやパソコンを用いた地下貯留槽設計支援装置は、一般に、図１２に示すような構成である。即ち、本実施の形態における地下貯留槽設計支援装置１０は、図１２において、ＣＰＵ１１、メモリ１２、キーボード１３、マウス１４、表示装置１５、及び、プリンタ１６で構成されている。
【０１１９】
上記の地下貯留槽設計支援装置１０のメモリ１２には、本実施の形態で必要なＯＳを含む各種ソフトウエアが搭載されており、本実施の形態における地下貯留槽設計支援装置１０の機能は、これらのソフトウエアを実行することにより実現される。即ち、前述した滞水セット情報保持手段、設置条件情報保持手段、水平荷重計算手段、基本滞水セット選択採用手段、滞水ユニット構成手段、鉛直荷重計算手段、及び、Ｕ字溝上滞水ユニット構成手段の各機能は、これらのソフトウエアと上記のハードウエアとの協働で実現される。
【０１２０】
上記の地下貯留槽設計支援装置１０のメモリ１２には、上述した地下貯留槽の設置条件関する情報、及び、最上部滞水セット３１、最下部滞水セット３３、及び、中間部滞水セット３２に使用される各種の基本滞水セットに関する情報が記憶されている。又、Ｕ字溝上底部滞水セット３８に関する情報も記憶されている。これらの情報は、図１２に示すキーボード１３等を用いて入力されることにより、メモリ１２に記憶される。
【０１２１】
基本滞水セットに関する情報である上記の各種の基本滞水セットは、上述したように、耐水平荷重及び滞水容積率がそれぞれ異なっている。しかし、この耐水平荷重と滞水容積率とは、上述したように、耐水平荷重が大きくなると、滞水容積率は低くなり、耐水平荷重が小さくなると、滞水容積率は高くなることから、トレードオフの関係にある。そこで、水平荷重計算の結果に基づき、耐え得る基本滞水セットの中から最も滞水容積率の高い基本滞水セットを選択する手順を簡素化するために、基本滞水セットの情報に次のような工夫を行っている。
【０１２２】
即ち、選択可能な基本滞水セットを、この基本滞水セットの耐水平荷重が大きい方から小さい方へ順に並べると、この順番は、これらの基本滞水セットを、この基本滞水セットの滞水容積率が低い方から高い方へ順に並べた順番になる。そこで、各基本滞水セットの耐水平荷重を上限とし、この基本滞水セットより耐水平荷重が一つ下の順位の基本滞水セットにおける耐水平荷重を下限として一覧表示したのが、図１３に示す基本滞水セットテーブル(その１)である。図１３は、中間部滞水セット３２及び最下部滞水セット３３に使用される基本滞水セットを示している。図１３中、ＮＧとあるのは、該当する基本滞水セットが用意されていないことを示している。
【０１２３】
上述したように、耐水平荷重と滞水容積率とはトレードオフの関係にあることから、上記の基本滞水セットテーブル(その１)は、基本滞水セットが備える滞水容積率の大きさの順位をこの基本滞水セットと対応させて保持させたのと同様の作用効果を有している。又、この基本滞水セットテーブル(その１)を用いて基本滞水セットを選択することは、滞水容積率の大きさの順位が付されている基本滞水セットの情報から、滞水容積率の大きさの順位の最も高い基本滞水セットを選択するのと、実質的に同じである。
【０１２４】
又、最上部滞水セット３１に使用される基本滞水セットを、上記と同様に、耐鉛直荷重が大きい方から小さい方へ順に並べて一覧表示したのが、図１４に示す基本滞水セットテーブル(その２)である。これらの基本滞水セットに関する情報が、上記の地下貯留槽設計支援装置１０のメモリ１２に記憶されている。尚、図１４において、ＮＧとあるのは、該当する基本滞水セットが用意されていないことを示している。
【０１２５】
次に、上記の地下貯留槽設計支援装置の処理プロセスについて説明する。上述したように、上記の地下貯留槽における滞水槽５０の地表からの埋設深さや滞水槽５０の縦横のサイズや容量等の仕様は、上記の地下貯留槽の設置条件により定まる。又、各基本滞水セットは、各基本滞水セットを構成する滞水材２０のサイズ等から、それぞれ定まる一定の値で表されるサイズ、滞水容積率、及び、耐水平荷重等を有している。
【０１２６】
従って、上記の地下貯留槽の設置条件から、滞水槽５０を構成する滞水ユニット４０の高さ及び滞水ユニット４０を構成する滞水材２０の段数が定まる。又、上記の地下貯留槽の設置条件から、滞水ユニット４０を構成する各滞水セット３０の埋設位置が定まり、該埋設位置により、各滞水セット３０にかかる水平荷重を計算することができる。但し、上記の地下貯留槽設計支援装置では、滞水セット３０を構成する滞水材２０で最下層に位置する滞水材２０にかかる水平荷重を計算するようにしている。滞水セット３０にかかる水平荷重としては、滞水セット３０の各滞水材２０にかかる水平荷重の平均を求める方法もあるが、多少複雑となることから、上記のようにするのが便宜であるからである。又、上記の地下貯留槽の設置条件から、滞水ユニット４０の最上部の滞水セット３０にかかる鉛直荷重を計算することができる。上記の地下貯留槽設計支援装置の処理プロセスには、これらの仕組みが織り込まれている。
【０１２７】
図１５は、上記の地下貯留槽設計支援装置の主な処理プロセスを示したフローチャートである。図１５において、上記の地下貯留槽設計支援装置の処理プロセスは、滞水ユニットにおける滞水材段数計算ステップ(Ｓ１)、最上部滞水セット選択ステップ(Ｓ２)、最下部滞水セット選択ステップ(Ｓ３)、中間部滞水セット選択ステップ(Ｓ４)、滞水ユニット構成ステップ(Ｓ５)、及び、Ｕ字溝上滞水ユニット構成ステップ(Ｓ６)で構成されている。これらの各ステップで処理された結果は、全て、地下貯留槽設計支援装置１０のメモリ１２に記憶される。以下、これらの各ステップについて説明する。
【０１２８】
まず、上記の地下貯留槽設計支援装置１０に対して、図１２に示すこの地下貯留槽設計支援装置１０のキーボード１３やマウス１４等を用いて動作開始の指示がなされると、滞水ユニット４０における滞水材段数計算ステップ(Ｓ１)が実行される。このステップ(Ｓ１)では、地下貯留槽設計支援装置１０のメモリ１２に記憶されている設置条件の情報を基にして、上記の地下貯留槽における滞水槽５０を構成する滞水ユニット４０に使用される滞水材２０の段数Ｎを計算する。
【０１２９】
次に、最上部滞水セット選択ステップ(Ｓ２)に移行する。図１６は、この最上部滞水セット選択ステップ(Ｓ２)の詳細処理プロセスを示したフローチャートである。このステップ(Ｓ２)では、地下貯留槽設計支援装置１０のメモリ１２に記憶されている設置条件の情報を基にして、滞水ユニット４０の最上部の最上部滞水セット３１にかかる鉛直荷重を計算する(Ｓ２１)。そして、地下貯留槽設計支援装置１０のメモリ１２に記憶されている図１４に示す基本滞水セットテーブル(その２)の中から、この計算により求められた鉛直荷重の値が、上限値と下限値の間に存在する基本滞水セットを選択する。即ち、上記の計算により求められた鉛直荷重に基づいて、基本滞水セットテーブル(その２)から、最上部滞水セット３１(第９基本滞水セット３１ａ)として、第９基本滞水セットＡ、第９基本滞水セットＢ、又は、第９基本滞水セットＣのいずれかの基本滞水セットを選択して採用する(Ｓ２２)。そして、選択された基本滞水セットの滞水材２０の段数を上記のＮから減算して新たなＮとする(Ｓ２３)。
【０１３０】
次に、最下部滞水セット選択ステップ(Ｓ３)に移行する。図１７は、この最下部滞水セット選択ステップ(Ｓ３)の詳細処理プロセスを示したフローチャートである。このステップ(Ｓ３)では、地下貯留槽設計支援装置１０のメモリ１２に記憶されている設置条件の情報を基にして、滞水ユニット４０の最下部の最下部滞水セット３３にかかる水平荷重を計算する(Ｓ３１)。そして、地下貯留槽設計支援装置１０のメモリ１２に記憶されている図１３に示す基本滞水セットテーブル(その１)の中から、この計算により求められた水平荷重の値が、上限値と下限値の間になる基本滞水セットを選択する。即ち、上記の計算により求められた水平荷重に基づいて、基本滞水セットテーブル(その１)から、最下部滞水セット３３として、第５基本滞水セット〜第８基本滞水セットのいずれかの基本滞水セットを選択して採用する(Ｓ３２)。そして、選択された基本滞水セットの滞水材２０の段数を上記の最上部滞水セット選択ステップ(Ｓ２)で演算されたＮから更に減算して新たなＮとする(Ｓ３３)。
【０１３１】
次に、中間部滞水セット選択ステップ(Ｓ４)に移行する。図１８は、この中間部滞水セット選択ステップ(Ｓ４)の詳細処理プロセスを示したフローチャートである。このステップ(Ｓ４)では、中間部滞水ユニット４０ａの最下方に位置する中間部滞水セット３２の水平荷重を計算する(Ｓ４１)。そして、この計算により求められた水平荷重に基づいて、上記の最下部滞水セット選択ステップ(Ｓ３)と同様にして、地下貯留槽設計支援装置１０のメモリ１２に記憶されている図１３に示す基本滞水セットテーブル(その１)から、中間部滞水セット３２として、第１基本滞水セット〜第４基本滞水セットのいずれかの基本滞水セットを選択して、地下貯留槽設計支援装置１０のメモリ１２に記憶する(Ｓ４２)。
【０１３２】
そして、選択された基本滞水セットの滞水材２０の段数を上記の最下部滞水セット選択ステップ(Ｓ３)で演算されたＮから更に減算して新たなＮとする(Ｓ４３)。そして、減算した結果のＮが０以下であるか否かを判断する(Ｓ４４)。ここで、減算する前のＮは、滞水ユニットにおける滞水材段数計算ステップ(Ｓ１)で演算された滞水ユニット４０を構成する滞水材２０の段数(即ち、設置条件から定まる滞水ユニット４０における滞水材２０の段数)Ｎから、最上部滞水セット選択ステップ(Ｓ２)で演算された最上部滞水セット３１に使用される基本基本滞水セットの滞水材２０の段数、及び、最下部滞水セット選択ステップ(Ｓ３)で演算された最下部滞水セット３３に使用される基本滞水セットの滞水材２０の段数を減算した値である。これは、中間部滞水ユニット４０ａの滞水材２０の段数であり、即ち、中間部段数を表している。
【０１３３】
そこで、Ｓ４３における減算した結果のＮが０以下でなければ、中間部滞水ユニット４０ａを充足するのに必要な個数の中間部滞水セット３０として使用される基本滞水セットが選択されていないことになるので(Ｓ４４)、この場合は、上記で選択処理が行われた中間部滞水セット３０の上方に隣接する次の中間部滞水セット３０の水平荷重を計算する(Ｓ４５)。そして、Ｓ４２へ戻り、Ｓ４２、Ｓ４３、及びＳ４４を再度行う。この上記のＳ４５、Ｓ４２、Ｓ４３、及びＳ４４の処理は、Ｓ４４で減算した結果のＮが０以下になるまで繰り返して行う。Ｓ４４で減算した結果のＮが０以下になると、中間部滞水ユニット４０ａを充足するのに必要な個数の中間部滞水セット３０として使用される基本滞水セットが選択されたことになる(Ｓ４４)。尚、上記のＳ４２で、基本滞水セットが選択される毎に、この選択された基本滞水セットのみならず、この基本滞水セットが選択された順序が、地下貯留槽設計支援装置１０のメモリ１２に記憶される。
【０１３４】
中間部滞水セット３０として使用される基本滞水セットの選択は、上述したように、水平荷重の計算に基づいて、第１基本滞水セット３２ａ〜第４基本滞水セット３２ｄの中から選択される。図１９は、図１３に示す基本滞水セットテーブル(その１)に基づいて行われるこの選択の過程を示した説明図である。図１９は、左から右に向かって、又、上から下に向かって、基本滞水セットが配列されているが、これは、左から右に向かって、且つ、上から下に向かって、次第に基本滞水セットの耐水平荷重が小さくなると共に滞水容積率が高くなるように配列されている。即ち、図１９の右又は下へ行くにつれて、耐水平荷重が小さくなると共に滞水容積率が高くなるように配列されている。
【０１３５】
この図１９において、図の一番上の列は、中間部滞水ユニット４０ａの最下方に位置する中間部滞水セット３２であり、水平荷重の計算の結果であるＸの値に基づき、第１基本滞水セット３２ａ〜第４基本滞水セット３２ｄのいずれが選択されるかが定まる。そして、この選択された基本滞水セットからスタートして、基本滞水セットの選択毎に行われる水平荷重の計算の結果であるＸの値が、より滞水容積率の高い基本滞水セットの耐水平荷重以下になる度に、下のほうへ移動して、基本滞水セットの種類が変更される。
【０１３６】
尚、基本原理として、最下方に位置する中間部滞水セット３２よりも上に位置する中間部滞水セット３２にかかる水平荷重は、最下方に位置する中間部滞水セット３２よりも小さくなる。そこで、中間部滞水ユニット４０ａの最下方に位置する中間部滞水セット３２に使用される基本滞水セットとして、例えば、第２基本滞水セット３２ｂが選択されたとすると、最下方に位置する中間部滞水セット３２の強度が、第２基本滞水セット３２ｂの備える耐水平荷重で十分である以上、最下方に位置する中間部滞水セット３２よりも上位に位置する中間部滞水セット３２に使用される基本滞水セットとして、第２基本滞水セット３２ｂよりも耐水平荷重の大きい第１基本滞水セット３２ａは、選択する必要性はないので、選択されることはない。同様にして、最下方に位置する中間部滞水セット３２に使用される基本滞水セットとして第３基本滞水セット３２ｃが選択されると、第１基本滞水セット３２ａ、及び、第２基本滞水セット３２ｂが選択されることはない。又、同様に、第４基本滞水セット３２ｄが選択されると、第１基本滞水セット３２ａ、第２基本滞水セット３２ｂ、及び、第３基本滞水セット３２ｃが選択されることもない。図１９は、このような状況を基にして作成されている。
【０１３７】
中間部滞水セット３０として使用される基本滞水セットの選択が上記のようにして終了すると、次に、Ｓ４４で減算した結果のＮが、０であるか否かを判断する(Ｓ４６)。Ｎが０である場合は、中間部滞水ユニット４０ａを充足している全ての基本滞水セットを構成する滞水材２０の段数の合計が、上記の中間部段数と一致するので、Ｓ４における処理を終了する。
【０１３８】
Ｎが０でない場合、即ち、マイナスの場合は(Ｓ４６)、中間部滞水ユニット４０ａを充足している全ての基本滞水セットを構成する滞水材２０の段数の合計が、上記の中間部段数と一致しない、即ち、上記の中間部段数より段数が多くなるので、この場合は、最後に選択された基本滞水セットの情報に対して、この最後に選択された基本滞水セットを構成する最上層の滞水材２０から、順に上記の多い段数分、即ち、上記のＮの値の絶対値が示す段数分の滞水材２０を取り除いた処理をして(Ｓ４７)、この中間部滞水セット選択ステップ(Ｓ４)における処理を終了する。
【０１３９】
例えば、滞水ユニット４０を構成する滞水材２０の段数が１３段である上述した例の場合、中間部段数は５段である。この場合に、中間部滞水セット３２として、最初に、Ｓ４１及びＳ４２で、第４基本滞水セット３２ｄが選択されることになるが(Ｓ４１及びＳ４２)、第４基本滞水セット３２ｄの滞水材２０の段数は３段であるから、この段階では、減算した結果のＮは、２であり、０以下ではない(Ｓ４３及びＳ４４)。そこで、次に、再度、第４基本滞水セット３２ｄが選択されるが(Ｓ４５及びＳ４２)、この段階では、減算した結果のＮは、−１となり、０ではない(Ｓ４３及びＳ４４)。
【０１４０】
そこで、最後に選択された基本滞水セットである第４基本滞水セット３２ｄを構成する最上層の滞水材２０から、上記のＮの値の絶対値が示す段数分、即ち１段の滞水材２０を取り除く。上記の第４基本滞水セット３２ｄを構成する最上層の滞水材２０は、脚材２３であるから、この脚材２３を取り除くことにより、最後に選択された基本滞水セットを修正する。
【０１４１】
次に、滞水ユニット構成ステップ(Ｓ５)に移行する。このステップ(Ｓ５)では、上記の最上部滞水セット選択ステップ(Ｓ２)で選択され採用された基本滞水セット、及び、最下部滞水セット選択ステップ(Ｓ３)で選択され採用された基本滞水セットと、中間部滞水セット選択ステップ(Ｓ４)で選択され採用された基本滞水セット及びその選択された順序とを用いて、滞水ユニット４０を構成する。
【０１４２】
即ち、最下部滞水セット選択ステップ(Ｓ３)で選択され採用された基本滞水セットの上に、中間部滞水セット選択ステップ(Ｓ４)で選択され採用された基本滞水セットを、この基本滞水セットが選択された順序に従って下から上へ積み上げて連設し、更にその上に、最上部滞水セット選択ステップ(Ｓ２)で選択され採用された基本滞水セットを積み上げて連設して、滞水ユニット４０を構成する。
【０１４３】
次に、Ｕ字溝上滞水ユニット構成ステップ(Ｓ６)に移行する。図２０、図２１及び図２２は、このＵ字溝上滞水ユニット構成ステップ(Ｓ６)の詳細処理プロセスを示したフローチャートである。このステップ(Ｓ６)では、最下部滞水セット選択ステップ(Ｓ３)で選択された滞水ユニット４０の最下部滞水セット３３として採用された基本滞水セットの下層４層を取り除いて(Ｓ６１)、残る部分の有無を判断する(Ｓ６２)。残る部分がある場合は、この残る部分を、上記のＵ字溝上底部滞水セット３８の上に連設してＵ字溝上最下部滞水セット３７を構成する(Ｓ６３)。残る部分がない場合は、地下貯留槽設計支援装置１０のメモリ１２に記憶されているＵ字溝上底部滞水セット３８をそのままＵ字溝上最下部滞水セット３７とする(Ｓ６４)。
【０１４４】
そして、滞水ユニット構成ステップ(Ｓ５)で構成された滞水ユニット４０から最下部滞水セット３３を取り除いて一部省略滞水ユニット４０ｂを構成する(Ｓ６５)。この一部省略滞水ユニット４０ｂを、上記のＵ字溝上最下部滞水セット３７の上に連設する(Ｓ６６)。次に一部省略滞水ユニット４０ｂにおける最上部滞水セット３１の直下に位置する滞水材２０の種類を判断する(Ｓ６７)。この滞水材２０の種類が脚材２３であれば(Ｓ６８)、傾斜材２２を、最上部滞水セット３１と該最上部滞水セット３１の直下に位置する滞水材２０との間に挿入して連設し、Ｕ字溝上滞水ユニット４１を構成する(Ｓ６９)。最上部滞水セット３１の直下に位置する滞水材２０の種類が脚材２３でなければ(Ｓ６８)傾斜材２２であるので、脚材２３を、最上部滞水セット３１と該最上部滞水セット３１の直下に位置する滞水材２０との間に挿入して連設し、Ｕ字溝上滞水ユニット４１を構成する(Ｓ７０)。
【０１４５】
次に、一部省略滞水ユニット４０ｂを構成する各中間部滞水セット３２に使用されている基本滞水セットにかかる水平荷重を計算する(Ｓ７１)。そして、この計算結果が中間部滞水セット３２に使用されている基本滞水セットの耐水平荷重以下か否かを判断する(Ｓ７２)。上記の計算結果が上記の耐水平荷重以下でない場合、即ち、上記の耐水平荷重より大きい場合は(Ｓ７３)、この中間部滞水セット３２に使用されている基本滞水セットの強度が不足しているので、この基本滞水セットを構成している下層側の脚材２３を、傾斜材２２に変更して強化する(Ｓ７４)。そして、全ての中間部滞水セット３２に使用されている基本滞水セットに対して上記の水平荷重の計算が終了したか否かを判断し(Ｓ７５)、終了していなければ(Ｓ７６)、終了するまで(Ｓ７６)、Ｓ７１以降を繰り返す。又、Ｓ７３で、計算結果が上記の耐水平荷重以下である場合は、上記の中間部滞水セット３２に使用されている基本滞水セットの強度は不足していないので、そのままＳ７４に移行して、以後上記と同様に処理する。
【０１４６】
上記の地下貯留槽設計支援装置によれば、滞水セットの水平荷重の値以上の耐水平荷重を備えた基本滞水セットが選択されると共に、更に、選択されたこれらの基本滞水セットの中から、滞水容積率の最も大きい基本滞水セットを選択して、地下貯留槽における滞水槽の滞水ユニット４０を構成する滞水セットとして採用することができる。又、具体的に、板材、傾斜材２２、及び、脚材２３を滞水材２０として用いた滞水セットを構成することができる。又、採用されたこれらの滞水ユニット４０を用いて、滞水ユニット４０やＵ字溝上滞水ユニット４１を構成することができる。従って、構成されたこれらの滞水ユニット４０やＵ字溝上滞水ユニット４１を用いることにより、上述した新たな構造の地下貯留槽において、強度を保ちつつ、貯水部分となる空隙部分が最大となるような構成とすることが可能な地下貯留槽を、迅速、且つ、容易に設計することができる。
【０１４７】
上記の地下貯留槽設計支援装置では、各基本滞水セットの耐水平荷重を上限とし、該基本滞水セットより耐水平荷重が一つ下の順位の基本滞水セットにおける耐水平荷重を下限として一覧表示した基本滞水セットテーブルを用いているが、各基本滞水セットを、この基本滞水セットが備える滞水容積率及び耐水平荷重と対応させて一覧表示した基本滞水セットテーブルを用いるようにしてもよい。この場合は、基本滞水セットの選択方法は、水平荷重計算の結果に基づき、耐え得る基本滞水セットの中から最も滞水容積率の高い基本滞水セットを選択する方法を用いる。
【０１４８】
或いは、各基本滞水セットを、この基本滞水セットが備える滞水容積率の大きさの順位をこの基本滞水セットと対応させて一覧表示した基本滞水セットテーブルを用いるようにしてもよい。この場合は、基本滞水セットの選択方法は、水平荷重計算の結果に基づき、耐え得る基本滞水セットの中から滞水容積率の大きさの順位の最も高い基本滞水セットを選択する方法を用いる。
【０１４９】
又、上記の地下貯留槽設計支援装置では、滞水材として、板材２１、傾斜材２２、及び、脚材２３により構成される滞水セットを用いた水貯留槽を設計支援の対象としているが、これらとは異なる滞水材により構成される滞水セットを用いた地下貯留槽を設計支援の対象とすることもできる。
【０１５０】
又、上記の地下貯留槽設計支援装置では、板材２１、傾斜材２２、及び、脚材２３を組み合わせた基本滞水セットとして、第１基本滞水セット〜第９基本滞水セットを用いた水貯留槽を設計支援の対象としているが、これらとは異なる組み合わせにより構成される滞水セットを用いた地下貯留槽を設計支援の対象とすることもできる。
【０１５１】
又、上記の地下貯留槽設計支援装置１０において、地下貯留槽設計支援装置１０のメモリ１２に３次元立体図形を作成するためのソフトウエアを搭載することにより、このソフトウエアで作成された図形を、上述した各処理におけるプロセスに併用するようにしてもよい。
【図面の簡単な説明】
【０１５２】
【図１】本発明の地下貯留槽設計支援装置の構成を示したブロック図である。
【図２】本実施の形態における設計支援の対象である地下貯留槽の断面図である。
【図３】図２の地下貯留槽における滞水槽の外観を示した斜視図である。
【図４】図２の地下貯留槽における滞水ユニットの外観を示した斜視図である。
【図５】滞水材の外観を示した斜視図であり、(ａ)は板材、(ｂ)は傾斜材、そして、(ｃ)は脚材である。
【図６】滞水材を示した簡略図であり、(ａ)は板材、(ｂ)は傾斜材、そして、(ｃ)は脚材である。
【図７】最上部滞水セットに用いられる第９基本滞水セットの簡略図である。
【図８】中間部滞水セットに用いられる基本滞水セットの簡略図であり、(ａ)は第１基本滞水セット、(ｂ)は第２基本滞水セット、(ｃ)は第３基本滞水セット、そして、(ｄ)は第４基本滞水セットである。
【図９】最下部滞水セットに用いられる基本滞水セットの簡略図であり、(ａ)は第５基本滞水セット、(ｂ)は第６基本滞水セット、(ｃ)は第７基本滞水セット、そして、(ｄ)は第８基本滞水セットである。
【図１０】滞水ユニットの構成方法の説明図であり、(ａ)は構成の途中、(ｂ)は構成の結果を示している。
【図１１】Ｕ字溝上滞水ユニットの構成方法の説明図であり、(ａ)は構成の途中、(ｂ)は構成の結果を示している。
【図１２】本実施の形態における地下貯留槽設計支援装置に用いられるパソコンの構成を示したブロック図である。
【図１３】本実施の形態における地下貯留槽設計支援装置のメモリに記憶されている基本滞水セットテーブル(その１)である。
【図１４】本実施の形態における地下貯留槽設計支援装置のメモリに記憶されている基本滞水セットテーブル(その２)である。
【図１５】本実施の形態における地下貯留槽設計支援装置の処理プロセスを示したフローチャートである。
【図１６】本実施の形態における地下貯留槽設計支援装置における最上部滞水セット選択ステップを示したフローチャートである。
【図１７】本実施の形態における地下貯留槽設計支援装置における最下部滞水セット選択ステップを示したフローチャートである。
【図１８】本実施の形態における地下貯留槽設計支援装置における中間部滞水セット選択ステップを示したフローチャートである。
【図１９】本実施の形態における地下貯留槽設計支援装置における中間部滞水セットの選択過程を示した説明図である。
【図２０】本実施の形態における地下貯留槽設計支援装置におけるＵ字溝上滞水ユニット構成ステップを示したフローチャート（その１）である。
【図２１】本実施の形態における地下貯留槽設計支援装置におけるＵ字溝上滞水ユニット構成ステップを示したフローチャート（その２）である。
【図２２】本実施の形態における地下貯留槽設計支援装置におけるＵ字溝上滞水ユニット構成ステップを示したフローチャート（その３）である。
【符号の説明】
【０１５３】
１  滞水セット情報保持手段
２  設置条件情報保持手段
３  水平荷重計算手段
４  基本滞水セット選択採用手段
１０  パソコン
１１  ＣＰＵ
１２  メモリ
１３  キーボード
１４  マウス
１５  表示装置
１６  プリンタ
２０  滞水材
２１  板材
２１ａ  開口板材
２２  傾斜材
２３  脚材
２４  遮水シート
２５  保護シート
２６  基礎コンクリート
２７  コンクリート
２８  Ｕ字溝
２９  地中
３０  滞水セット
３１  最上部滞水セット
３１ａ  第９基本滞水セット
３２  中間部滞水セット
３２ａ  第１基本滞水セット
３２ｂ  第２基本滞水セット
３２ｃ  第３基本滞水セット
３２ｄ  第４基本滞水セット
３３  最下部滞水セット
３３ａ  第５基本滞水セット
３３ｂ  第６基本滞水セット
３３ｃ  第７基本滞水セット
３３ｄ  第８基本滞水セット
３４  底部滞水セット
３７  Ｕ字溝上最下部滞水セット
３８  Ｕ字溝上底部滞水セット
４０  滞水ユニット
４０ａ  中間部滞水ユニット
４０ｂ  一部省略滞水ユニット
４１  Ｕ字溝上滞水ユニット
４５  マンホール
５０  滞水槽
５１  地表
５２  地中
５３  導水管
５４  集水桝
５５  導水管
【図１】
2007182708.tif 000003
【図２】
2007182708.tif 000004
【図３】
2007182708.tif 000005
【図４】
2007182708.tif 000006
【図５】
2007182708.tif 000007
【図６】
2007182708.tif 000008
【図７】
2007182708.tif 000009
【図８】
2007182708.tif 000010
【図９】
2007182708.tif 000011
【図１０】
2007182708.tif 000012
【図１１】
2007182708.tif 000013
【図１２】
2007182708.tif 000014
【図１３】
2007182708.tif 000015
【図１４】
2007182708.tif 000016
【図１５】
2007182708.tif 000017
【図１６】
2007182708.tif 000018
【図１７】
2007182708.tif 000019
【図１８】
2007182708.tif 000020
【図１９】
2007182708.tif 000021
【図２０】
2007182708.tif 000022
【図２１】
2007182708.tif 000023
【図２２】
2007182708.tif 000024